(57)【要約】認証を受けた者への認証結果に関する情報の提供をより確実にかつスムーズに行うことに寄与するシステム、方法等を提供する。本発明の一態様に係る情報提供システムは、認証の対象である認証対象者を撮影した画像を用いて、前記認証対象者に対する認証を行う認証部と、前記認証対象者の情報または前記認証対象者の状況に応じて、前記認証対象者に対して前記認証の結果に関する通知を行うための、前記認証の結果に関する情報の発信先を決定する決定部と、前記決定した発信先に前記情報を発信する発信部と、を含む。
2020105142.tif 000002
【特許請求の範囲】
【請求項１】
認証の対象である認証対象者を撮影した画像を用いて、前記認証対象者に対する認証を行う認証手段と、
前記認証対象者の情報または前記認証対象者の状況に応じて、前記認証対象者に対して前記認証の結果に関する通知を行うための、前記認証の結果に関する情報の発信先を決定する決定手段と、
前記決定した発信先に前記情報を発信する発信手段と、
を含む情報提供システム。
【請求項２】
前記認証対象者の状況として、当該認証対象者が写る画像から当該認証対象者の実空間における位置を特定する状況特定手段をさらに含み、
前記決定手段は、前記認証対象者の実空間における位置において前記通知が認識されるように、前記発信先を決定する、
請求項１に記載の情報提供システム。
【請求項３】
前記決定手段は、前記認証対象者の実空間における位置に基づく領域を前記発信先として決定し、
前記発信手段は、指向性を有する出力装置を用いて、前記領域に向かって、前記情報として前記通知を発信する、
請求項２に記載の情報提供システム。
【請求項４】
前記出力装置はディスプレイであり、
前記発信手段は、前記出力装置の位置および向きの少なくともいずれかを制御した上で当該出力装置に映像を出力させることによって前記領域に向かって前記通知を発信する、
請求項３に記載の情報提供システム。
【請求項５】
前記出力装置は指向性スピーカーであり、
前記発信手段は、前記出力装置の位置および向きの少なくともいずれかを制御した上で当該出力装置に音声を出力させることによって前記領域に向かって前記通知を発信する、
請求項３に記載の情報提供システム。
【請求項６】
１人の前記認証対象者につき、
前記状況特定手段は、当該認証対象者の位置を繰り返し特定し、
前記決定手段は、前記発信先を繰り返し決定し、
前記発信手段は、前記発信先に基づいて前記出力装置の位置および向きの少なくともいずれかを繰り返し制御することにより、当該認証対象者の動きに応じて前記出力装置による出力の方向を変化させる、
請求項４または５に記載の情報提供システム。
【請求項７】
前記決定手段は、複数の出力装置のうちから、前記認証対象者の実空間における位置に基づいて１つの出力装置を決定し、
前記発信手段は、前記決定された出力装置に対し、前記通知を出力する指示を含む前記情報を発信する、
請求項２に記載の情報提供システム。
【請求項８】
前記認証対象者の個人情報と当該認証対象者が所有する機器の機器情報とを紐付ける所有物情報を記憶する記憶手段をさらに含み、
前記認証手段は、前記認証によって前記認証対象者の個人情報を特定し、
前記決定手段は、前記所有物情報から、前記特定された個人情報に紐付けられた前記機器情報を取得し、前記機器情報が示す機器を前記発信先として決定し、
前記発信手段は、前記発信先に対する通知の指示を、前記取得された機器情報に基づいて行う、
請求項１に記載の情報提供システム。
【請求項９】
前記認証対象者の識別情報と当該認証対象者が所有する機器の機器情報とを紐付ける所有物情報を記憶する記憶手段をさらに含み、
前記情報提供システムは、ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取り、
前記認証手段は、前記識別情報が読み取られた前記認証対象者を前記画像から特定し、特定した前記認証対象者に対して前記認証を行い、
前記決定手段は、前記認証対象者の前記識別情報に紐付けられた前記機器情報を取得し、前記機器情報が示す機器を前記発信先として決定し、
前記発信手段は、前記発信先に対する通知の指示を、前記取得された機器情報に基づいて行う、
請求項１に記載の情報提供システム。
【請求項１０】
通知を行う機能を有する通知機器とともに前記認証対象者に配布される複数の物品について、前記物品が備える特徴と、当該物品とともに配布される前記通知機器の機器情報と、を紐付ける特徴情報を記憶する記憶手段をさらに含み、
前記決定手段は、前記物品を持っている前記認証対象者の画像に基づき、前記認証対象者が持っている物品に紐付けられた前記機器情報を取得し、前記機器情報が示す前記通知機器を前記発信先として決定し、
前記発信手段は、前記発信先に対する通知の指示を、前記取得された機器情報に基づいて行う、
請求項１に記載の情報提供システム。
【請求項１１】
認証の対象である認証対象者を撮影した画像を用いて、前記認証対象者に対する認証を行い、
前記認証対象者の情報または前記認証対象者の状況に応じて、前記認証対象者に対して前記認証の結果に関する通知を行うための、前記認証の結果に関する情報の発信先を決定し、
前記決定した発信先に前記情報を発信する、
情報提供方法。
【請求項１２】
前記認証対象者の状況として、当該認証対象者が写る画像から当該認証対象者の実空間における位置を特定し、
前記認証対象者の実空間における位置において前記通知が認識されるように、前記発信先を決定する、
請求項１１に記載の情報提供方法。
【請求項１３】
前記認証対象者の実空間における位置に基づく領域を前記発信先として決定し、
指向性を有する出力装置を用いて、前記領域に向かって、前記情報として前記通知を発信する、
請求項１２に記載の情報提供方法。
【請求項１４】
前記出力装置はディスプレイであり、
前記出力装置の位置および向きの少なくともいずれかを制御した上で当該出力装置に映像を出力させることによって前記領域に向かって前記通知を発信する、
請求項１３に記載の情報提供方法。
【請求項１５】
前記出力装置は指向性スピーカーであり、
前記出力装置の位置および向きの少なくともいずれかを制御した上で当該出力装置に音声を出力させることによって前記領域に向かって前記通知を発信する、
請求項１３に記載の情報提供方法。
【請求項１６】
１人の前記認証対象者につき、
当該認証対象者の位置を繰り返し特定し、前記発信先を繰り返し決定し、前記発信先に基づいて前記出力装置の位置および向きの少なくともいずれかを繰り返し制御することにより、当該認証対象者の動きに応じて前記出力装置による出力の方向を変化させる、
請求項１４または１５に記載の情報提供方法。
【請求項１７】
複数の出力装置のうちから、前記認証対象者の実空間における位置に基づいて１つの出力装置を決定し、
前記決定された出力装置に対し、前記通知を出力する指示を含む前記情報を発信する、
請求項１２に記載の情報提供方法。
【請求項１８】
前記認証対象者の個人情報と当該認証対象者が所有する機器の機器情報とを紐付ける所有物情報を記憶し、
前記認証によって前記認証対象者の個人情報を特定し、
前記所有物情報から、前記特定された個人情報に紐付けられた前記機器情報を取得し、取得した前記機器情報が示す機器を前記発信先として決定し、
前記発信先に対する通知の指示を、前記取得された機器情報に基づいて行う、
請求項１１に記載の情報提供方法。
【請求項１９】
前記認証対象者の識別情報と当該認証対象者が所有する機器の機器情報とを紐付ける所有物情報を記憶し、
ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取り、
前記識別情報が読み取られた前記認証対象者を前記画像から特定し、特定した前記認証対象者に対して前記認証を行い、
前記認証対象者の前記識別情報に紐付けられた前記機器情報を取得し、前記機器情報が示す機器を前記発信先として決定し、
前記発信先に対する通知の指示を、前記取得された機器情報に基づいて行う、
請求項１１に記載の情報提供方法。
【請求項２０】
通知を行う機能を有する通知機器とともに前記認証対象者に配布される複数の物品について、前記物品が備える特徴と、当該物品とともに配布される前記通知機器の機器情報と、を紐付ける特徴情報を記憶し、
前記物品を持っている前記認証対象者の画像に基づき、前記認証対象者が持っている物品に紐付けられた前記機器情報を取得し、前記機器情報が示す前記通知機器を前記発信先として決定し、
前記発信先に対する通知の指示を、前記取得された機器情報に基づいて行う、
請求項１１に記載の情報提供方法。
【請求項２１】
認証の対象である認証対象者を撮影した画像を用いて、前記認証対象者に対する認証を行う認証処理と、
前記認証対象者の情報または前記認証対象者の状況に応じて、前記認証対象者に対して前記認証の結果に関する通知を行うための、前記認証の結果に関する情報の発信先を決定する決定処理と、
前記決定した発信先に前記情報を発信する発信処理と、
をコンピュータに実行させるプログラムを記憶した、コンピュータ読み取り可能な記憶媒体。
【請求項２２】
前記プログラムは、前記認証対象者の状況として、当該認証対象者が写る画像から当該認証対象者の実空間における位置を特定する状況特定処理をさらに前記コンピュータに実行させ、
前記決定処理は、前記認証対象者の実空間における位置において前記通知が認識されるように、前記発信先を決定する、
請求項２１に記載の記憶媒体。
【請求項２３】
前記コンピュータは指向性を有する出力装置を備え、
前記決定処理は、前記認証対象者の実空間における位置に基づく領域を前記発信先として決定し、
前記発信処理は、前記出力装置を用いて、前記領域に向かって、前記情報として前記通知を発信する、
請求項２２に記載の記憶媒体。
【請求項２４】
前記出力装置はディスプレイであり、
前記発信処理は、前記出力装置の位置および向きの少なくともいずれかを制御した上で当該出力装置に映像を出力させることによって前記領域に向かって前記通知を発信する、
請求項２３に記載の記憶媒体。
【請求項２５】
前記出力装置は指向性スピーカーであり、
前記発信処理は、前記出力装置の位置および向きの少なくともいずれかを制御した上で当該出力装置に音声を出力させることによって前記領域に向かって前記通知を発信する、
請求項２３に記載の記憶媒体。
【請求項２６】
前記プログラムは、１人の前記認証対象者につき、前記状況特定処理、前記決定処理、および前記発信処理を繰り返し前記コンピュータに実行させることにより、当該認証対象者の動きに応じて前記出力装置による出力の方向を変化させる、
請求項２４または２５に記載の記憶媒体。
【請求項２７】
前記決定処理は、複数の出力装置のうちから、前記認証対象者の実空間における位置に基づいて１つの出力装置を決定し、
前記発信処理は、前記決定された出力装置に対し、前記通知を出力する指示を含む前記情報を発信する、
請求項２２に記載の記憶媒体。
【請求項２８】
前記プログラムは、前記認証対象者の個人情報と当該認証対象者が所有する機器の機器情報とを紐付ける所有物情報を記憶する記憶処理をさらに前記コンピュータに実行させ、
前記認証処理は、前記認証によって前記認証対象者の個人情報を特定し、
前記決定処理は、前記所有物情報から、前記特定された個人情報に紐付けられた前記機器情報を取得し、前記機器情報が示す機器を前記発信先として決定し、
前記発信処理は、前記発信先に対する通知の指示を、前記取得された機器情報に基づいて行う、
請求項２１に記載の記憶媒体。
【請求項２９】
前記プログラムは、
前記認証対象者の識別情報と当該認証対象者が所有する機器の機器情報とを紐付ける所有物情報を記憶する記憶処理と、
ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取る受け取り処理と、
をさらに前記コンピュータに実行させ、
前記認証処理は、前記識別情報が読み取られた前記認証対象者を前記画像から特定し、特定した前記認証対象者に対して前記認証を行い、
前記決定処理は、前記認証対象者の前記識別情報に紐付けられた前記機器情報を取得し、前記機器情報が示す機器を前記発信先として決定し、
前記発信処理は、前記発信先に対する通知の指示を、前記取得された機器情報に基づいて行う、
請求項２１に記載の記憶媒体。
【請求項３０】
前記プログラムは、通知を行う機能を有する通知機器とともに前記認証対象者に配布される複数の物品について、前記物品が備える特徴と、当該物品とともに配布される前記通知機器の機器情報と、を紐付ける特徴情報を記憶する記憶処理をさらに前記コンピュータに実行させ、
前記決定処理は、前記物品を持っている前記認証対象者の画像に基づき、前記認証対象者が持っている物品に紐付けられた前記機器情報を取得し、前記機器情報が示す前記通知機器を前記発信先として決定し、
前記発信処理は、前記発信先に対する通知の指示を、前記取得された機器情報に基づいて行う、
請求項２１に記載の記憶媒体。
【請求項３１】
認証の対象である認証対象者の位置を特定する特定手段と、
前記認証対象者に対する認証を行う認証手段から当該認証の結果を取得する取得手段と、
前記特定された位置に基づいて、前記認証の結果に関する通知を出力する出力装置が前記通知を出力する範囲を決定する決定手段と、
前記出力装置を、当該出力装置が前記決定された範囲に前記通知を出力するよう制御する制御手段と、
を含む情報提供制御装置。
【請求項３２】
認証の対象である認証対象者の位置を特定し、
前記認証対象者に対する認証を行う認証手段から当該認証の結果を取得し、
前記特定された位置に基づいて、前記認証の結果に関する通知を出力する出力装置が前記通知を出力する範囲を決定し、
前記出力装置を、当該出力装置が前記決定された範囲に前記通知を出力するよう制御する、
情報提供制御方法。
【請求項３３】
認証の対象である認証対象者の位置を特定する特定処理と、
前記認証対象者に対する認証を行う認証手段から当該認証の結果を取得する取得処理と、
前記特定された位置に基づいて、前記認証の結果に関する通知を出力する出力装置が前記通知を出力する範囲を決定する決定処理と、
前記出力装置を、当該出力装置が前記決定された範囲に前記通知を出力するよう制御する制御処理と、
をコンピュータに実行させるプログラムを記憶した、コンピュータ読み取り可能な記憶媒体。
【発明の詳細な説明】
【技術分野】
【０００１】
本開示は、認証に関し、特に、認証を受けた者への認証結果に関する情報の提供を制御する技術に関する。
【背景技術】
【０００２】
認証を素早く行うことへの需要が高まっている。例えば、イベントの会場、娯楽施設、デパート、会社の施設等において、入場口を通過しようとする人物に対し、その人物が入場の権利を有していることを確認する、またはその人物の身元や資格を特定する等の目的で、認証が行われることがある。このような場面では多くの人物が認証を受けるので、人の流れをスムーズにするためには、認証を受ける人物（以下、認証対象者とも表記）が立ち止まることなく認証を受けることができることが望ましい。【０００３】
特許文献１には、短時間で円滑に顔照合を行うことができる顔照合システムが記載されている。【０００４】
特許文献２には、認証対象者が歩行中に虹彩認証を受けることができるような虹彩認証システムが記載されている。この虹彩認証システムでは、認証対象者が結果通知エリアへ移動すると、ＬＥＤ（Ｌｉｇｈｔ  Ｅｍｉｔｔｉｎｇ  Ｄｉｏｄｅ）が認証結果を認証対象者に通知する。
【先行技術文献】
【特許文献】
【０００５】
【特許文献１】国際公開第２０１７／１４６１６０号
【特許文献２】国際公開第２００９／０１６８４６号
【発明の概要】
【発明が解決しようとする課題】
【０００６】
認証対象者が多く存在する環境で、しかも認証対象者が止まっていない場合、認証対象者に対して認証結果に関する情報を確実に提供することは難しい。例えば認証システムがある認証対象者に対して固定されたディスプレイの表示や固定されたスピーカーの音声によって認証結果を提供した場合、その認証対象者が、その表示や音声が自分に向けられたものであるかがはっきりとはわからない、という状況が起こり得る。また、その認証対象者の周りにいる人物が、その表示や音声を自分に向けられたものであると勘違いしてしまう可能性もある。【０００７】
特許文献１に記載の顔照合システムでは照合の結果がゲートの制御に反映されるため、認証対象者はゲートの状態から照合結果を認知し得る。しかし、このようなシステムで、認証対象者がゲートの状態によって示される照合結果が自分に向けられたものであると確信できるためには、その認証対象者のみが照合の対象になっていることが前提となっている必要がある。すなわち、一人ひとり順番に照合とフィードバックとを行う必要がある。そのため、着券からゲートの制御までにかかる時間は、認証対象者またはその後ろにいる次の認証対象者にとって歩行が制限される時間となる。仮に特許文献１の発明によってこの時間が短くなったとしても、その時間はゼロではないため、人流の淀みは生じ得る。【０００８】
特許文献２に記載の虹彩認証システムでは、結果通知エリアにおいて結果が通知されるが、多数の認証対象者に対する認証結果と、結果通知エリアに立ち入った人物に通知すべき認証結果と、を対応付けるための構成は記載されていない。したがって、認証対象者が複数いる場合において、この虹彩認証システムが認証対象者に対して正しく認証結果を通知できるかは確かではない。また、認証対象者が結果通知エリアにおいて示される照合結果が自分に向けられたものであると確信できるためには、結果通知エリアにその認証対象者が１人だけである必要がある。混雑している場合、結果通知エリアを狭くするか、結果通知エリアへの立ち入りを制御する必要が生じ、結果として人の流れがスムーズでなくなるおそれがある。また、通知の内容が理解に時間を要するような内容である場合、認証対象者が立ち止まるおそれもある。【０００９】
本発明は、認証を受けた者への認証結果に関する情報の提供をより確実にかつスムーズに行うことに寄与するシステム、方法等を提供することを、目的の１つとする。
【課題を解決するための手段】
【００１０】
本発明の一態様に係る情報提供システムは、認証の対象である認証対象者を撮影した画像を用いて、前記認証対象者に対する認証を行う認証手段と、前記認証対象者の情報または前記認証対象者の状況に応じて、前記認証対象者に対して前記認証の結果に関する通知を行うための、前記認証の結果に関する情報の発信先を決定する決定手段と、前記決定した発信先に前記情報を発信する発信手段と、を含む。【００１１】
本発明の一態様に係る情報提供方法は、認証の対象である認証対象者を撮影した画像を用いて、前記認証対象者に対する認証を行い、前記認証対象者の情報または前記認証対象者の状況に応じて、前記認証対象者に対して前記認証の結果に関する通知を行うための、前記認証の結果に関する情報の発信先を決定し、前記決定した発信先に前記情報を発信する。【００１２】
本発明の一態様に係る記憶媒体は、認証の対象である認証対象者を撮影した画像を用いて、前記認証対象者に対する認証を行う認証処理と、前記認証対象者の情報または前記認証対象者の状況に応じて、前記認証対象者に対して前記認証の結果に関する通知を行うための、前記認証の結果に関する情報の発信先を決定する決定処理と、前記決定した発信先に前記情報を発信する発信処理と、をコンピュータに実行させるプログラムを記憶する。
【発明の効果】
【００１３】
本発明によれば、認証を受けた者への認証結果に関する情報の提供をより確実にかつスムーズに行うことができる。
【図面の簡単な説明】
【００１４】
【図１】本発明の一実施形態に係る情報提供システムの構成を示すブロック図である。
【図２】本発明の一実施形態に係る情報提供方法の処理の流れを示すフローチャートである。
【図３】本発明が適用される情報処理システムの機能構成の一例を示すブロック図である。
【図４】本発明が適用されるシーンの一例を示す図である。
【図５】情報提供制御装置が状況特定部を備える場合の情報処理システムの機能構成の一例を示すブロック図である。
【図６】表示可能な領域を複数有するディスプレイを用いた情報提供方法が実施された状況の例を示す図である。
【図７】プロジェクターを用いた情報提供方法が実施された状況の例を示す図である。
【図８】複数のスピーカーを用いた情報提供方法が実施された状況の例を示す図である。
【図９】読み取り装置を含む情報処理システムの機能構成の一例を示すブロック図である。
【図１０】提供装置の機能を有する撮影装置が用いられる場合の情報処理システムの機能構成の一例を示すブロック図である。
【図１１】提供装置の機能を有する撮影装置の外観の例を示すブロック図である。
【図１２】情報処理システムの第１の動作例を示すフローチャートである。
【図１３】第１の動作例における提供制御処理の第１の具体例を示すフローチャートである。
【図１４】第１の動作例における提供制御処理の第２の具体例を示すフローチャートである。
【図１５】情報処理システムの第２の動作例を示すフローチャートである。
【図１６】情報処理システムの第３の動作例を示すフローチャートである。
【図１７】本発明の一実施形態に係る情報提供制御装置の機能構成の一例を示すブロック図である。
【図１８】本発明の一実施形態に係る情報提供制御方法の流れの一例を示すフローチャートである。
【図１９】本発明の各実施形態の各部を構成するハードウェアの例を示すブロック図である。
【発明を実施するための形態】
【００１５】
以下、図面を参照しながら、本発明の実施形態を詳細に説明する。
【００１６】
まず、本発明の一実施形態の概要について説明する。
【００１７】
＜構成＞
図１は、本発明の一実施形態に係る情報提供システム１０の構成を示すブロック図である。情報提供システム１０は、認証部１０１と、決定部１０２と、発信部１０３と、を含む。情報提供システム１０は、１つの装置として実装されてもよいし、複数の装置の組み合わせとして実装されてもよい。
【００１８】
認証部１０１は、認証の対象である認証対象者を撮影した画像を用いて、その認証対象者に対する認証を行う。
【００１９】
決定部１０２は、認証対象者の情報または認証対象者の状況に応じて、認証部１０１による認証の結果に関する情報の発信先を決定する。この情報は、認証対象者に対して認証部１０１による認証の結果に関する通知を行うための情報である。
【００２０】
発信部１０３は、決定部１０２により決定された発信先に、認証の結果に関する情報を発信する。
【００２１】
＜動作＞
情報提供システム１０による処理の流れを、図２のフローチャートを参照しながら説明する。
【００２２】
まず、認証部１０１が、認証の対象である認証対象者を撮影した画像を用いて、その認証対象者に対する認証を行う（ステップＳ１０１）。
【００２３】
次に、決定部１０２が、認証対象者の情報または認証対象者の状況に応じて、認証対象者に対して通知を行うための発信先を決定する（ステップＳ１０２）。
【００２４】
そして、発信部１０３が、決定部１０２により決定された発信先に、認証の結果に関する情報を発信する（ステップＳ１０３）。
【００２５】
＜効果＞
情報提供システム１０によれば、認証結果に関する情報の認証対象者への提供をより確実にかつスムーズに行うことができる。その理由は、決定部１０２が、認証対象者の情報または認証対象者の状況に応じて発信先を決定し、発信部１０３がその発信先に、認証の結果に関する情報を発信するからである。
【００２６】
＜適用例＞
次に、本発明が適用されるシーンの例を、以下に示す。
【００２７】
一つの例は、ある企業のオフィスがある建物の入場エリアである。この建物では、多くの社員がオフィスに向かうためにこの入場エリアを通ることが、想定される。入場エリアを通る人物が、認証の対象となる。認証の目的は、例えば、その人物が誰であるかを特定し、その建物の入場を許可されている者であることを確認すること、および、入場エリアを通過した時刻をその人物の情報と紐付けて記録すること、等である。
【００２８】
また一つの例は、競技大会が行われる施設における、大会関係者（選手やボランティア等）の入場エリアである。入場エリアを通る人物が、認証の対象となる。
【００２９】
本開示では、認証は、歩行している人物から取得可能な特徴を用いることが想定される。そのような特徴の例としては、人物の顔、姿（身なりや体型等）、歩容、掌形、耳介、虹彩、等がある。上記の例以外の、歩行している人物から取得可能な特徴が、認証に使用されてもよい。
【００３０】
なお、以下では、認証は入場エリアを通る通行者全員に対して行われることが想定されるが、一部の通行者に対しては認証が行われない実施形態があってもよい。本開示では、認証の対象となる人物を、「認証対象者」と表記する。ただし、認証対象者が認証対象者として特定されていない段階であるときの説明においては、認証対象者となり得る人物は「通行者」と表記されることもある。
【００３１】
上記のようなシーンにおいて行われる認証に関して、本発明は適用され得る。以下、本発明が適用された情報処理システム１００の概要について説明する。
【００３２】
図３は、情報処理システム１００の主な機能構成を示すブロック図である。情報処理システム１００は、撮影装置４と、情報提供制御システム１と、提供装置７と、を含む。情報処理システム１００のうち、情報提供制御システム１と提供装置７との組を、本開示では情報提供システム１０ｂと呼ぶ。情報提供システム１０ｂは、上記情報提供システム１０の一例に相当する。
【００３３】
＝＝撮影装置４＝＝
撮影装置４は、撮影装置４が向いている方向を撮影し、それにより画像を生成する。撮影装置４が撮影によって生成する画像は、静止画像でもよいし、動画像でもよい。画像は、カラー画像でもよいし、グレースケール画像でもよい。以下、撮影装置４が撮影によって取得する画像を、撮影画像とも表記する。
【００３４】
図４は、撮影装置４による撮影の態様の例を示す図である。図４では、撮影装置４が、列をなして経路上を進む認証対象者を撮影する例が示されている。矢印は認証対象者の進行方向を示している。認証対象者の経路が決まっている場合、撮影装置４は経路上の空間を撮影するように設置される（または位置と向きとを制御される）ことにより、認証対象者を撮影可能である。撮影範囲や被写界深度等の撮影条件は、認証に用いられる特徴の種類に応じて適切に設定されればよい。例えば、認証に用いる特徴が顔から得られる特徴である場合、撮影装置４は、各認証対象者の頭部が撮影範囲に含まれるように、撮影条件が設定されればよい。また、認証に用いる特徴が虹彩である場合、撮影装置４は、各認証対象者の虹彩が通過すると考えられる範囲に焦点が合うように、撮影条件が設定されればよい。ただし、撮影条件は固定的である必要は無い。撮影装置４は、状況に応じて撮影範囲（位置、傾き、撮影方向、および画角等を含む）や被写界深度等の撮影条件を（手動または自動で）制御することが可能であってもよい。
【００３５】
撮影装置４は、撮影装置４の位置、傾き、および撮影方向等を変化させる機構に取り付けられていてもよい。撮影装置４自体が、撮影装置４の位置、傾き、および撮影方向等を変化させることが可能に構成されていてもよい。
【００３６】
なお、図４では経路が示されているが、経路が決まっていない場合であっても、認証対象者が必ず通過するエリアを網羅するように撮影装置４の撮影範囲が設定されれば、認証対象者を漏らすことなく撮影可能である。
【００３７】
撮影装置４は複数あってもよい。複数の撮影装置４のうち、認証に用いられる特徴を撮影する目的でない撮影装置４があってもよい。例えば、通行者の動きを監視する目的で設置される撮影装置４があってもよい。
【００３８】
＝＝提供装置７＝＝
提供装置７は、認証対象者に、認証の結果に関する通知を提供する装置である。提供装置７の具体例は後述される。
【００３９】
＝＝情報提供制御システム１＝＝
情報提供制御システム１は、撮影装置４から撮影画像を取得可能であるように構成される。また、情報提供制御システム１は、提供装置７に情報を伝達可能であるように構成される。例えば、情報提供制御システム１は、撮影装置４および提供装置７のそれぞれと、有線による方式または無線による方式によって通信可能に接続されていてもよい。
【００４０】
情報提供制御システム１は、認証に係る処理を行う認証装置１１と、提供装置７の制御に係る処理を行う情報提供制御装置２１と、を含む。以下の説明では、認証装置１１と情報提供制御装置２１とは別々の装置として説明されるが、１個の装置として実装されてもよい。認証装置１１および情報提供制御装置２１内の構成要素のいずれかが、独立した装置として実装されてもよい。各構成要素間の接続は、処理に支障が出ない限りにおいて自由に設計されてよい。
【００４１】
＝＝＝認証装置１１＝＝＝
認証装置１１は、画像取得部１１１と、認証実行部１１２と、登録情報データベース１１９と、を備える。
【００４２】
画像取得部１１１は、撮影装置４から、認証対象者が写る撮影画像を取得する。画像取得部１１１は、通信によって撮影装置４から撮影画像を受け取ることにより、撮影画像を取得する。
【００４３】
画像取得部１１１が取得した撮影画像が、認証に用いられる。ただし、認証に用いられる撮影画像は選別されてもよい。撮影装置４が選別を行ってもよいし、認証装置１１が選別を行ってもよい。
【００４４】
登録情報データベース１１９は、人物の個人情報と、その人物の画像から抽出され得る特徴の情報とを互いに関連づけて記憶する。個人情報は、例えば、氏名、生年月日、属性（性別、年齢、役職等）、および人ごとに付与されるユニークなＩＤ（Ｉｄｅｎｔｉｆｉｅｒ）を含み得る。
【００４５】
認証実行部１１２は、画像取得部１１１が取得した撮影画像を用いて、認証対象者に対する認証を行う。具体的には、認証実行部１１２は、例えば次のプロセスを実行する。
【００４６】
まず、認証実行部１１２は、撮影画像を用いて認証対象者となる人物を決定する。具体的には、認証実行部１１２は、撮影画像において人物を検出し、検出した人物を認証対象者として決定すればよい。撮影画像に複数の人物が写っている場合は、認証実行部１１２はそのうちから一人を認証対象者として決定してもよいし、人物の検出方法は既知の手法でよい。そして、認証実行部１１２は、認証対象者から特徴を抽出する。特徴として虹彩が採用される場合を例とすると、認証実行部１１２は、検出された人物から眼の位置を特定し、眼に含まれる虹彩の部分を抽出する。認証実行部１１２は、抽出された特徴と、登録情報データベース１１９に登録された特徴（すなわち登録特徴）とを照合し、登録特徴のうち抽出された特徴に合致すると判定される登録特徴を特定する。抽出された特徴に合致すると判定される登録特徴があった場合、認証実行部１１２は、認証対象者はその登録特徴に関連づけられた個人情報により識別される人物である、と認定する（すなわち認証対象者は「認証される」）。抽出された特徴に合致すると判定される登録特徴がない場合、撮影画像に含まれる人の個人情報は特定されない（すなわち認証対象者は「認証されない」）。
【００４７】
認証実行部１１２は、認証の結果を表す認証結果情報を生成し得る。認証結果情報は、例えば、認証対象者が認証された（すなわち、認証対象者が誰であるかが判明した）か否かを示す情報でもよい。認証対象者が認証された場合においては、認証結果情報は、登録情報データベース１１９から抽出され得る、認証対象者の個人情報を認証対象者の情報として示す情報でもよい。
【００４８】
認証装置１１は、認証結果情報を情報提供制御装置２１に提供し得る。
【００４９】
＝＝＝情報提供制御装置２１＝＝＝
情報提供制御装置２１は、通知内容決定部２１１と、発信先決定部２１２と、提供装置制御部２１３と、を備える。
【００５０】
通知内容決定部２１１は、通知の対象となる人物に対して行う通知の内容を決定する。認証装置１１による認証の処理が行われた人物が、通知の対象となる。認証の処理が行われた人物の全員が通知の対象となってもよいし、認証の処理が行われた人物の一部が通知の対象となってもよい。以下、通知の対象となる人物を「通知対象者」と表記する。
【００５１】
通知は、認識の結果に関する情報の一例である。通知の内容は、認証装置１１による通知対象者に対する認証の結果に関する内容である。例えば、通知は、通知対象者が認証されたか否かを示す情報でもよい。通知は、通知対象者に対する案内や指示を示す情報でもよい。例えば、通知内容決定部２１１は、認証された通知対象者に対しては、そのまま通行することを促す内容を通知の内容として決定し、認証されなかった対象者に対しては、所定のエリアに移動するよう指示する内容を通知の内容として決定してもよい。このように、通知内容決定部２１１は、通知対象者が認証されたか否かに応じて異なる指示または案内を含む内容を通知の内容として決定し得る。なお、認証されなかった通知対象者への通知については、通知内容決定部２１１は、その通知対象者に対して再認証を行うか否かの判定を行った上で、その判定に基づいて通知の内容を決定してもよい。
【００５２】
発信先決定部２１２は、通知対象者に通知を行うための情報の発信先を決定する。発信先とは、情報が到達する物、人、地点および空間等を指す。発信先の具体例は後述の具体的な実施形態の説明の中で挙げられるが、実施形態によって様々なものが「発信先」となり得る。例えば、通知対象者の頭部を含む空間や、提供装置７が、「発信先」となり得る。
【００５３】
提供装置制御部２１３は、通知対象者に通知を行う提供装置７を制御する。制御の具体的な内容は実施形態に依るが、例えば、提供装置制御部２１３により制御され得るのは、稼働および非稼働、位置、向き、タイミング、ならびに出力の内容、等である。提供装置制御部２１３は、少なくとも、通知内容決定部２１１が決定した通知の内容と、発信先決定部２１２が決定した発信先と、の情報に基づいて、提供装置７を制御する。提供装置制御部２１３による制御によって、通知対象者は認証の結果に関する通知を提供装置７から認識する。
【００５４】
以下、提供装置制御部２１３が提供装置７に送る、提供装置７に対する制御のための情報を、「制御情報」とも表記する。制御情報は、認識の結果に関する情報の一例である。
【００５５】
＜具体的な実施形態＞
本発明は様々な態様で実施可能である。以下、本発明の具体的な実施形態をいくつか例示する。
【００５６】
・通知対象者の状況に応じた、提供の制御
提供装置制御部２１３は、通知対象者の状況に応じた制御を行ってもよい。
【００５７】
制御の内容を左右する、通知対象者の状況の例は、通知対象者の位置、姿勢、視線方向等である。
【００５８】
情報提供制御装置２１は、通知対象者の状況を特定した上で、その状況に基づいて提供装置７に対する制御の内容を決定し得る。以下、通知対象者の状況を特定する機能単位を状況特定部２１４と記載する。情報提供制御装置２１が状況特定部２１４を備える場合の情報処理システム１００の構成は、情報処理システム１００ａとして、図５に示されている。以下、状況特定部２１４を備える情報提供制御装置には“２１ａ”の符号を付与する。情報提供制御装置２１ａを含む情報提供システムには“１ａ”の符号を付与し、情報提供システム１ａを含む情報提供システムには“１０ａ”の符号を付与する。
【００５９】
状況特定部２１４は、通知対象者の状況を、例えば、撮影画像から特定し得る。状況特定部２１４は、認証装置１１から通知対象者が写る撮影画像を取得し、その撮影画像から通知対象者の状況を特定し得る。状況特定部２１４は、認証装置１１から、通知対象者の撮影画像における位置を示す情報をも取得してもよい。
【００６０】
通知対象者の状況として通知対象者の実際の位置（actual position）を特定する例を説明する。実際の位置とは、実空間（real space）における位置を指す。状況特定部２１４は、例えば、通知対象者の撮影画像内の位置と、撮影装置４の撮影範囲とを用いて、通知対象者の実際の位置を算出し得る。撮影装置４の撮影範囲が決まっていて不変である場合は、撮影装置４の撮影範囲の情報は予め情報提供制御装置２１ａに入力されていればよい。撮影装置４の撮影範囲が可変である場合は、情報提供制御装置２１ａは、撮影装置４の撮影範囲の情報を、定期的にまたは必要に応じて把握すればよい。例えば、情報提供制御装置２１ａは、状況特定部２１４による処理を行うことが決定した場合に、撮影装置４の位置、光軸の方向、傾きおよび画角等の情報を、撮影装置４から（撮影装置４の位置、傾き、および撮影方向等を変化させる機構が撮影装置４の外部にある場合は、その機構から）取得し、取得した情報に基づいて撮影装置４の撮影範囲を算出すればよい。情報提供制御システム１ａが撮影装置４の撮影範囲を指定する範囲制御情報を送り撮影装置４がその指示に基づいて撮影範囲を変更する実施形態であれば、情報提供制御装置２１ａはその範囲制御情報から撮影範囲の情報を取得してもよい。
【００６１】
状況特定部２１４は、認識技術を用いることにより、通知対象者の姿勢および／または視線方向を特定してもよい。姿勢および／または視線方向を特定するための認識技術は周知である。
【００６２】
以下、通知対象者の状況に応じた制御の具体的な内容の例を説明する。
【００６３】
・・出力範囲を変更可能な出力装置による出力範囲の制御
提供装置７は、出力範囲を変更可能な出力装置であり得る。そして、提供装置制御部２１３は、提供装置７の出力範囲を制御し得る。なお、本開示では、「出力範囲」という語を、出力される物理的作用の影響が及ぶ範囲という意味だけではなく、出力される物理的作用の影響が大きい範囲、という意味でも用いる。要するに、出力範囲を変更可能な出力装置とは、出力される物理的作用の影響（情報量や情報の質を含み得る）が位置によって有意に異なり、かつその異なり方が変更可能であるような出力装置のことである。
【００６４】
［第１の具体例］
例えば、提供装置７は、ディスプレイであり得る。ディスプレイの表示画面は、通知対象者に対する向きの違い、または情報が表示される位置によって、見えやすさが異なったり、ある位置からは見えなくなったりする。ディスプレイが、ディスプレイの向きおよび位置の少なくともいずれかが変更可能に構成されていれば、ディスプレイは出力範囲を変更可能な出力装置の１つといえる。提供装置制御部２１３は、ディスプレイの位置および向きの少なくともいずれかを制御してもよい。
【００６５】
このような具体例では、発信先決定部２１２が決定する発信先は、例えば、実空間における、通知対象者の目がある地点である。目ではなく「頭部」のように、やや広い範囲が発信先として決定されてもよい。発信先決定部２１２は、状況特定部２１４により特定された、通知対象者の目がある位置（例えば座標等で表される）を、発信先として決定する。提供装置制御部２１３は、発信先にディスプレイの表示の法線方向が向くようにディスプレイの向きを制御すればよい。提供装置制御部２１３は、ディスプレイの向きの制御に代えて、またはディスプレイの向きの制御とともに、ディスプレイの位置を、発信先にディスプレイの表示の法線方向が向くように制御してもよい。なお、制御においては、通知対象者の視界も考慮されてよい。提供装置制御部２１３は、ディスプレイの位置を、通知対象者の視界に入る位置になるように制御し得る。
【００６６】
提供装置７は、より強い指向性を有するように構成されていてもよい。例えば、表示画面の周りに、ある方向から表示画面を見ることを妨げるような構造物が設けられてもよい。表示画面に、ある方向から表示を見ることを妨げるようなフィルタが取り付けられてもよい。ＴＮ（Ｔｗｉｓｔｅｄ  Ｎｅｍａｔｉｃ）方式またはＶＡ（Ｖｅｒｔｉｃａｌ  Ａｌｉｇｎｍｅｎｔ）方式の液晶ディスプレイ等のように、ディスプレイ自体が、表示が見えやすい範囲が狭いという特徴を持つディスプレイであってもよい。
【００６７】
提供装置制御部２１３が制御を行うには、提供装置７が位置および／または向きを変化させる機能を有している場合は、制御情報に、提供装置７のあるべき位置および／または向くべき方向を示す情報を含めればよい。提供装置７が、提供装置７とは別の、提供装置７の位置および／または向きを変化させる機構によって動くことが可能である場合は、提供装置制御部２１３はその機構に、提供装置７のあるべき位置および／または向くべき方向を指定した制御指示を送ればよい。
【００６８】
表示可能な領域が複数あるようなディスプレイが提供装置７として用いられる場合は、提供装置制御部２１３は、発信先に表示の法線方向が向くように、ディスプレイ上で通知が表示される位置を制御すればよい。この場合、提供装置制御部２１３は、制御情報に、表示位置と表示内容とを示す情報を含めればよい。
【００６９】
表示可能な領域が複数あるようなディスプレイが提供装置７として用いられる実施形態の例が図６に示されている。提供装置制御部２１３は、図６に示されるように、１つのディスプレイ７ａに、複数の通知対象者のそれぞれに対する通知をそれぞれ表示させてもよい。提供装置制御部２１３は、通知対象者の移動に合わせて、通知の表示が行われる領域を逐次変化させてもよい（後述の「制御の処理の第１の例」および図１３を参照）。表示が行われる領域が通知対象者の移動に合わせて変化すれば、通知の内容が理解するのに時間がかかる内容であっても、通知対象者は移動しながら通知を確認できるので、人流の淀みの発生を抑制できる。
【００７０】
このような実施形態においては、図６に示されるように、通知対象者が認証されたか否かを示す文や画像、および／または通知対象者に対する指示を示す文や画像を含み得る。提供装置制御部２１３は、通知内容決定部２１１が決定した通知の内容を、制御情報に含めればよい。
【００７１】
［第２の具体例］
また、例えば、提供装置７は、指向性スピーカーであり得る。提供装置制御部２１３は、指向性スピーカーから発せられる音が聞こえる範囲に通知対象者の頭部が含まれるように、指向性スピーカーの出力方向を制御すればよい。提供装置制御部２１３は、指向性スピーカーの出力方向を制御するため、指向性スピーカーの位置および向きの少なくともいずれかを制御すればよい。この場合、発信先決定部２１２が決定する発信先は、実空間における、通知対象者の頭部を含む領域である。
【００７２】
指向性スピーカーの例としては、メガホンのような構造を有するスピーカー、アレイ型のスピーカー、パラメトリックスピーカー、等がある。
【００７３】
このような具体例においては、通知の内容は、文を読み上げる声でもよいし、効果音でもよい。認証結果は、直接的でなく間接的に表現することも可能である。例えば、提供装置７は、通知対象者が認証されたことを示す第１の効果音（例：「ピンポン！」という音）と、通知対象者が認証されなかったことを示す第２の効果音（例：「ビー、ビー！」という音）とを出力できるように構成され、提供装置制御部２１３は、そのいずれの効果音を出力するかを示す情報を制御情報に含めればよい。あるいは、提供装置７は、提供装置制御部２１３から音声情報（アナログ信号でも、デジタル信号でも、デジタル信号を変換して生成されるデータでもよい）を受け取って出力することができるように構成され、提供装置制御部２１３は、音声情報を制御情報に含めればよい。
【００７４】
提供装置制御部２１３は、通知内容決定部２１１が決定した通知の内容を、制御情報に含めればよい。あるいは、提供装置制御部２１３は、通知内容決定部２１１が決定した通知の内容に基づき、提供装置７が出力する内容を指定する信号を生成してもよい。
【００７５】
［第３の具体例］
また、例えば、提供装置７は、通知対象者を照射するスポットライトであり得る。発信先決定部２１２は、発信先決定部２１２は、経路の中で通知対象者がいる地点を発信先として決定し得る。そして、提供装置制御部２１３は、発信先にスポットライトの光が当たるように、スポットライトの位置および／または向きを制御すればよい。
【００７６】
発信先決定部２１２は、地面から離れた領域（例えば、通知対象者の頭部を含む領域）を発信先として決定してもよい。
【００７７】
この具体例において、認証結果に関する通知の内容は、例えば、スポットライトの光の特徴によって表され得る。例えば、提供装置制御部２１３は、通知対象者が認証された場合は緑色のスポットライトが発信先に照射され、通知対象者が認証されなかった場合は赤色のスポットライトが発信先に照射されるよう、構成されていてもよい。提供装置７は、提供装置７が発する光の特徴が提供装置制御部２１３によって制御できるように構成されていればよい。認証結果に関する通知の内容は、上記で例示した色の違いの他、光の明滅、照射位置、または動き等によって識別されてもよい。
【００７８】
［第４の具体例］
また、例えば、提供装置７は、プロジェクターであり得る。提供装置制御部２１３は、プロジェクターが投影する映像が発信先において表示されるように、プロジェクターの位置および／または向きを制御すればよい。提供装置７が、投影方向を自ら変更可能なプロジェクターであれば、提供装置制御部２１３は、投影方向を提供装置７に指示することによって投影方向を制御すればよい。提供装置制御部２１３は、プロジェクターの位置のみを制御してもよい。発信先決定部２１２は、例えば、通知対象者の近く、または通知対象者の視界に入り得るスクリーンを発信先として決定し得る。スクリーンは、スクリーンとなり得る構造物であれば何でもよく、壁や床をも含み得る。
【００７９】
図７は、提供装置７としてプロジェクターを採用した場合の実施形態を示す図である。例えば提供装置制御部２１３は図７のように、通知対象者の足元の床の進行方向側の領域に、認証結果を示す映像がプロジェクター７ｂによって投影されるように、プロジェクター７ｂの位置および／または向きを制御する。提供装置制御部２１３は、投影される映像の情報を制御情報に含め得る。提供装置制御部２１３は、複数のプロジェクター７ｂを、各プロジェクターが複数の通知対象者のそれぞれに対して同時に認証結果を通知するよう、制御してもよい。なお、図７において一番右に表示されている映像は、認証結果がまだ出ていないことを示す映像である。
【００８０】
提供装置７が、発信先よりも広い範囲に一度に映像を投影可能なプロジェクターである場合、提供装置制御部２１３は、一度に投影可能な範囲のうち発信先に相当する領域だけに通知が表示されるように、提供装置７の出力映像を制御してもよい。
【００８１】
［第５の具体例］
また、例えば、提供装置７は、レーザーポインタであり得る。発信先決定部２１２は、例えば、通知対象者の近く、または通知対象者の視界に入り得る物を発信先として決定し得る。提供装置制御部２１３は、レーザーポインタからの光が発信先に当たるように、レーザーポインタの位置および／または向きを制御すればよい。
【００８２】
この具体例において、認証結果に関する通知の内容は、例えば、レーザーポインタの光の特徴によって表され得る。例えば、提供装置制御部２１３は、通知対象者が認証された場合は、緑色の光を発するレーザーポインタが発信先に照射され、通知対象者が認証されなかった場合は、赤色の光を発するレーザーポインタが発信先に照射されるように、構成されていればよい。認証結果に関する通知の内容は、上記のような色の違いの他、光の明滅、照射位置、または動き等によって識別されてもよい。例えば、提供装置制御部２１３は、光が文字や図形等を描くように、レーザーポインタの動きを制御してもよい。
【００８３】
なお、レーザーポインタが採用される場合、レーザーの光の色は光路上では視認できず、照射先を視認できる人のみに光の特徴を伝達することができる。したがって、通知対象者のみが視認できる場所を照射先として設定すれば、認識結果が通知対象者以外の人に知られないようにすることが可能である。通知対象者のみが視認できる場所は、例えば通知対象者の腹部等である。
【００８４】
［補足］
以上の例は具体例である。上記以外の物理的作用でも、通知対象者が知覚できる物理的作用であれば、提供装置７により通知対象者に提供されるものになり得る。提供されるものが何であろうと、発信先決定部２１２は、提供されるものが提供される範囲を決定し、提供装置制御部２１３は、提供されるものが決定された範囲に提供されるよう提供装置７を制御すればよい。
【００８５】
［第６の具体例］
通知対象者が、通知指示を表す電磁波を受け取ると通知を行う機能を有する機器を携帯しているという前提がある場合、提供装置７は、その電磁波を指向性をもって発信する装置でもよい。発信先決定部２１２は、通知対象者のいる位置を提供先として決定すればよい。そして、提供装置制御部２１３は、提供装置７が提供先に向かって通知指示を表す電磁波を発信するよう、提供装置７を制御すればよい。なお、通知指示は、通知を行う指示である。どのような電磁波が通知指示を表すかは、予め定められていればよい。例えば、通知指示を表す電磁波は、所定の帯域の電磁波であってもよい。
【００８６】
この具体例における、通知指示を表す電磁波を受け取ると通知を行う機能を有する機器は、入場エリアを通行する前の段階で通行者に予め配布されていればよい。機器による通知の態様は、例えば、光、音、および振動の少なくともいずれか１つが採用されればよい。例えば、機器は、通知指示を表す電磁波を受け取ると、振動するとともに「認証されました」という音声を出力してもよい。機器はさらに、別の種類の電磁波を受け取ると、振動するとともに「認証されませんでした」という音声を出力してもよい。
【００８７】
・・複数の出力装置のうちの１つへの通知指示
提供装置７は、通知対象者が通る経路沿いに複数設置されていてもよい。そして、提供装置制御部２１３が、それら複数の提供装置７のうちいずれかを作動させることで、通知対象者に向けた情報提供を実現し得る。このような実施形態では、発信先決定部２１２は、複数の提供装置７のうちからいずれか１つを「発信先」として決定する。
【００８８】
複数の提供装置７は、それぞれ、有線または無線によって情報提供制御装置２１ａからの制御情報を受信可能に構成されていればよい。情報提供制御装置２１ａは、通知を行うことの指示を含む制御情報を、複数の提供装置７のうちの１つに選択的に発信可能であるように、構成されていればよい。情報提供制御装置２１ａが特定の提供装置７に選択的に制御情報を発信する方法には、宛先を指定する方法、信号の経路を制御する方法、または、指向性のある電波を発信する機構によって目的の方向に電波を発信する方法等がある。
【００８９】
［第７の具体例］
例えば、経路沿いに、提供装置７としてディスプレイが複数設置されていてもよい。提供装置制御部２１３は、通知対象者が最も視認しやすいディスプレイを、発信先として決定し、そのディスプレイに通知を表示させ得る。通知対象者が最も視認しやすいディスプレイとは、例えば、通知対象者の視野に含まれ、通知対象者との距離が短いディスプレイである。このような思想に基づき、提供装置制御部２１３は、各ディスプレイの、通知対象者との距離および通知対象者の進行方向とのなす角等に基づいて、通知対象者が最も視認しやすいディスプレイを特定するよう構成されればよい。
【００９０】
提供装置制御部２１３は、通知対象者の視線方向に基づき、通知対象者の視線の先に存在するディスプレイを発信先として決定してもよい。
【００９１】
［第８の具体例］
経路沿いに設置される複数の提供装置７は、単純な照明でもよい。通知対象者は、例えば、自身に最も近い照明の光によって、自身に対する通知の内容を認識することができる。
【００９２】
［第９の具体例］
経路沿いに設置される複数の提供装置７は、スピーカーでもよい。各スピーカーは指向性があるものでもないものでもよいが、各スピーカーは、それぞれからの音がよく聞こえる範囲が重複しないよう設置されるとよい。発信先決定部２１２は、音を発した場合に通知対象者がその音を聞くことができる提供装置７を、発信先として決定すればよい。
【００９３】
図８は、複数のスピーカーを使用して通知の提供を行う実施形態を示した図である。提供装置制御部２１３は、通知対象者の頭部を可聴範囲に含むスピーカー７ｃに、通知の出力を指示する。提供装置制御部２１３は、スピーカー７ｃが音を発するタイミングも指示してもよい。
【００９４】
通知の内容は、複数のスピーカーに分配されてもよい。すなわち、提供装置制御部２１３は、複数のスピーカーが順に通知の一部を発するよう、複数のスピーカーを制御してもよい。
【００９５】
［第１０の具体例］
提供装置７は、通知指示を表す電磁波を所定の範囲に発信する装置でもよい。そのような提供装置７が、経路に沿って複数設置されていてもよい。このような具体例では、認証対象者は、通知指示を表す電磁波を受け取ると通知を行う装置を所持しているよう要請されているとする。発信先決定部２１２は、通知対象者のいる位置を出力範囲に含む提供装置７を、提供先として決定すればよい。そして、提供装置制御部２１３は、発信先決定部２１２が決定した提供装置７に、通知指示を表す電磁波を発信するよう指示すればよい。
【００９６】
［補足］
上記第７の具体例から第１０の具体例において、複数の提供装置７の各々は、出力範囲が制御可能であってもよい。発信先決定部２１２は、複数の提供装置７から１つの提供装置７を決定するだけでなく、その決定された提供装置７が通知を出力する範囲をさらに決定してもよい。例えば、提供装置制御部２１３は、発信先として決定された提供装置７の、向きおよび位置の少なくともいずれかを制御してもよい。
【００９７】
［第１１の具体例］
提供装置７は、通知対象者が触れる物に対して振動を発生させる装置でもよい。例えば、認証対象者は経路に沿って設置された手すりに触れながら通行するよう要請されているとする。この場合において、提供装置７は、手すりの複数箇所を選択的に振動させることが可能な装置であってもよい。発信先決定部２１２は、通知対象者の位置に基づいて、手すりのどの部分を振動させるかを決定し得る。そして、提供装置制御部２１３は、発信先決定部２１２が決定した部分が振動するように、提供装置７を制御し得る。このケースでは、振動し得る複数箇所のうちの一箇所が、決定すべき「発信先」に相当する。
【００９８】
この具体例の場合、振動のパターンや強弱等によって、通知の内容は細分化可能である。
【００９９】
手すりの他、床や壁等が、振動する物として採用されてもよい。
【０１００】
・通知対象者が所持する機器の情報を用いた、提供の制御
提供装置制御部２１３は、通知対象者が携帯する、通信機能と通知を行う機能とを有する機器（以下「通知機器」）の情報を用いて、通知の提供の制御をしてもよい。具体的には、提供装置制御部２１３は、通知対象者が所持する通知機器に、通知を発するよう指示してもよい。この場合、通知対象者が携帯する通知機器が提供装置７であり、「発信先」に相当する。発信先を決定することは、複数の認証対象者が所有する複数の通知機器のうち、通知対象者が所有する通知機器の機器情報を特定することである。
【０１０１】
機器の機器情報は、その機器を特定する情報である。例えば、機器情報は、その機器に割り当てられたメールアドレス、電話番号、またはＩＤ等である。
【０１０２】
［第１２の具体例］
通知機器の一例は、携帯電話等の、通知対象者が所有する機器である。発信先決定部２１２は、通知対象者を識別する情報に基づいて、通知対象者が所有する通知機器の機器情報を特定してもよい。
【０１０３】
例えば、認証対象者の各々は、自身が所有する携帯電話を所持していることが予め要請されている。情報提供制御システム１は、認証対象者を識別する情報と認証対象者が所有しているべき携帯電話の機器情報とが互いに紐付けられた、所有物情報を保持しておく。所有物情報は、例えば、認証装置１１が有する記憶装置または情報提供制御装置２１が有する記憶装置に、記憶されていればよい。
【０１０４】
認証装置１１による認証により、認証が行われた通知対象者を識別する情報が判明するので、発信先決定部２１２はその情報に紐付けられた機器情報を、所有物情報から抽出し得る。そして、発信先決定部２１２は、その抽出した機器情報が表す携帯電話を、発信先として決定する。提供装置制御部２１３は、機器情報に基づき、その機器情報が表す携帯電話（これが発信先に相当する）に対する指示を含む制御情報を生成し、その制御情報を発信先に発信する。発信先である携帯電話が、その制御情報を受け取り、その制御情報が示す指示に基づき、通知対象者に対する通知を行う。通知の態様は、例えばメールまたはショートメッセージの表示等である。電話着信の通知（バイブレーション、ライトの発光および着信音の少なくともいずれかを含み得る）が、認証結果に関する通知として用いられてもよい。
【０１０５】
［変形例］
通知対象者の個人情報は、認証装置１１による認証以外の方法で特定されてもよい。例えば、認証対象者がＩＣカード（Ｉｎｔｅｇｒａｔｅｄ  Ｃｉｒｃｕｉｔ  Ｃａｒｄ）を携帯していることを前提として、情報提供制御システム１は、認証対象者が携帯するＩＣカードから情報を読み取ることによって、通知対象者の個人情報を特定してもよい。ＩＣカードには、そのＩＣカードを携帯する人物の個人情報が記録されているとする。情報提供制御システム１は、個人情報が読み取られたＩＣカードを携帯する認証対象者の、撮影画像における位置を特定した上で認証を行えば、認証が行われた通知対象者とその通知対象者が携帯するＩＣカードによって特定される人物の情報とを対応付けることが可能である。
【０１０６】
ＩＣカードに記録された情報を読み取る装置を読み取り装置と表記する。読み取り装置９が含まれる情報処理システム１００ｂの機能構成の例が、図９に示される。情報提供制御システム１は、読み取り装置９から情報を受け取ることが可能であるように構成されていればよい。例えば、情報提供制御システム１と読み取り装置９とは、互いに通信可能に接続されていればよい。
【０１０７】
［第１３の具体例］
通知機器は、入場エリアにおいて通知対象者に配布された物品に付属する機器でもよい。配布された物品が見た目で識別可能な特徴（以下「識別特徴」とも表記）を有していれば、通知対象者がその物品を携帯している様子が写った撮影画像から、通知対象者が携帯する通知機器の機器情報を特定することが可能である。情報提供制御システム１は、識別特徴と機器情報とを紐付ける情報（「識別特徴情報」とする）を保持しておき、発信先決定部２１２は、通知対象者が携帯している通知機器の識別特徴に紐付けられる機器情報を抽出すればよい。なお、識別特徴情報は、例えば、認証装置１１が有する記憶装置または情報提供制御装置２１が有する記憶装置に、記憶されていればよい。
【０１０８】
例えば、配布される物品が、通知機器が付いたゼッケンであり、ゼッケンには認証対象者を識別するために割り当てられる番号が印字されているとする。情報提供制御システム１は、ゼッケンの番号と、そのゼッケンに付いている通知機器の機器情報とを紐付ける識別特徴情報を保持する。認証対象者はゼッケンの番号が撮影装置４に撮影されるようにゼッケンを持ちながら通行する。発信先決定部２１２は、通知対象者が持っているゼッケンの番号を認識し、識別特徴情報において、その番号に紐付けられた機器情報を抽出する。抽出された機器情報は、通知対象者が持っているゼッケンについている通知機器の機器情報である。よって、提供装置制御部２１３は、抽出された機器情報に基づき、通知対象者が持っているゼッケンについている通知機器に通知を指示することができる。
【０１０９】
［変形例］
（１）
識別特徴は、通知機器自体に備えられていてもよい。
【０１１０】
（２）
識別特徴は、全ての認証対象者を一意に識別できる特徴でなくてもよい。識別特徴は、通知機器を携帯している人物の集合において通知機器を一意に識別できるための識別特徴であればよい。
【０１１１】
例えば、通知機器が付いた物品の数が、認証対象者の総数よりも少ない実施形態があり得る。この場合、通知機器が付いた物品が、認証の終了後に回収され、別の認証対象者に対して再利用されてもよい。そして、この場合、複数の認証対象者がそれぞれ携帯している物品の識別特徴が相異なりさえすれば、通知対象者が携帯する物品が有する識別特徴を有する全ての物品に通知を行っても、通知対象者にだけ通知が伝わる。したがって、識別特徴の種類の数は、一度に認証対象者になり得る通行者の数を下回らない数であればよい。
【０１１２】
［補足］
以上のいずれかの具体例において説明された工夫が、別の具体例において適用されてもよい。
【０１１３】
＜構成の変形例＞
撮影装置４と提供装置７とは一体となっていてもよい。図１０は、提供装置７の機能を備えた撮影装置４０が採用された情報処理システム１００ｃの構成を示すブロック図である。この場合、情報提供システムは撮影装置４０を含む。図１０では、撮影装置４０を含む情報提供システムには符号“１０ｃ”が付与されている。
【０１１４】
図１１は、撮影装置４０の外観の例を示す図である。撮影装置４０は、撮像部４１と、表示部４２と、固定部４３と、回動軸４４とを備える。
【０１１５】
撮像部４１と表示部４２とは、例えば同じ方向を向くように調整される。撮像部４１の向きと、表示部４２の向きとの関係は、固定されていてよい。
【０１１６】
固定部４３は、台に固定される部分である。
【０１１７】
回動軸４４は、回動することで撮像部４１と表示部４２との向きを変化させることができる部分である。提供装置制御部２１３によって、回動の方向および回動の角度等が制御され得る。
【０１１８】
このような変形例によれば、撮影装置４の向きと提供装置７の向きとは同じ動力源によって一体的に変化するため、撮影装置４の向きと提供装置７の向きとの両方を制御する場合の全体的なコスト（計算にかかるコスト、通信にかかるコスト、または時間的コスト等）が低減される。すなわち、情報提供制御装置２１ａが提供装置７の向きを制御した場合に、認証対象者の撮影画像を取得するために撮影装置４の向きを制御するコストが低減され得る。あるいは、情報提供制御装置２１ａが、認証対象者の撮影画像を取得するために撮影装置４の向きを制御した場合に、提供装置７の向きを制御するためのコストが低減され得る。
【０１１９】
＜実施形態の表現＞
以上に説明した具体例によれば、本発明の実施形態には、次のような言葉で表現される実施形態が含まれ得ることが、当業者には理解されよう。
・情報提供制御装置が、通知対象者の情報または通知対象者の状況に応じて、提供装置による出力の方向を決定する実施形態。
・情報提供制御システムが、認証を行い、通知対象者が提供装置による出力を認知するように提供装置の位置および向きの少なくともいずれかを制御する実施形態。
・情報提供制御システムが、認証を行い、提供装置の位置および向きの少なくともいずれかを制御することにより、その提供装置による出力の範囲を制御する実施形態。
・情報提供制御システムと提供装置とを含む情報提供システムが、認証を行い、発信先を決定し、提供装置を制御することによって発信先に通知を発信する実施形態。
・情報提供制御システムと複数の提供装置とを含む情報提供システムが、認証を行い、複数の提供装置のうちの１つを発信先として決定し、決定した発信先に、認証の結果に関する情報を発信する実施形態。
【０１２０】
したがって、認証実行部１１２は、認証部１０１の一例に相当する。発信先決定部２１２は、決定部１０２の一例に相当する。上記具体例のうちのいくつかにおける提供装置７は、発信部１０３の一例に相当する。提供装置７が発信先として決定される実施形態における提供装置制御部２１３も、発信部１０３の一例に相当する。いくつかの実施形態においては、提供装置制御部２１３と提供装置７との組み合わせを、発信部１０３の一例に相当すると見なしてもよい。
【０１２１】
＜動作の例＞
以下、情報処理システム１００（または情報処理システム１００ａ）の動作のいくつかの例を説明する。
【０１２２】
［第１の動作例］
第１の動作例を、図１２のフローチャートを参照しながら説明する。第１の動作例は、提供装置制御部２１３が認証対象者の位置に応じた制御を行う実施形態における動作例である。なお、認証対象者の位置とは、認証対象者の、足、腹部、頭部その他の体の部位、携行物の一部または全部の、いずれの位置でもよい。認証対象者の位置を示す情報は、認証対象者全体を含む空間領域を示す情報でもよい。
【０１２３】
まず、撮影装置４が認証対象者の撮影を行う（ステップＳ１１）。認証装置１１の画像取得部１１１は、撮影によって生成される撮影画像を、取得する。
【０１２４】
次に、認証装置１１が、撮影画像に写る人から認証対象者を決定する（ステップＳ１２）。例えば、認証装置１１は、撮影画像に写る１人以上の人のうち、認証対象者としてまだ選択されていない１人を認証対象者として選択する。人物が経路に沿って一列になっている場合、認証装置１１は、経路の前方にいる人を優先して認証対象者を決定すればよい。
【０１２５】
なお、撮影画像に写る人を検出する方法には、周知の方法が採用され得る。
【０１２６】
次に、認証実行部１１２が、認証対象者から特徴を抽出する（ステップＳ１３）。抽出される特徴の例は、既に述べた通りである。
【０１２７】
認証実行部１１２は、抽出した特徴を登録情報データベース１１９に登録されている登録特徴と照合し、その結果として認証結果情報を生成する（ステップＳ１４）。認証装置１１は、生成された認証結果情報を情報提供制御装置２１ａに提供する。
【０１２８】
情報提供制御装置２１ａは、認証結果情報に基づいて、認証対象者に通知を行うかを決定してもよい（ステップＳ１５）。通知を行うと決定された場合（ステップＳ１５においてＹＥＳ）には、情報提供制御装置２１ａは、ステップＳ１６からステップＳ１８の処理を行う。通知を行わないと決定された場合（ステップＳ１５においてＮＯ）は、情報提供制御装置２１ａは特段の処理を行わなくてもよい。情報提供制御装置２１ａの処理が終了したら、認証装置１１が再び認証対象者を決定し（ステップＳ１１）、ステップＳ１２以降の処理を再び行ってもよい。
【０１２９】
なお、情報提供制御装置２１ａは、認証対象者に通知を行うか否かを、例えば認証対象者が認証されたか否かに基づいて決定してもよい。情報提供制御装置２１ａは、認証対象者が認証された場合にはその認証対象者には通知を行うと決定し、認証対象者が認証されなかった場合にはその認証対象者には通知を行わないと決定してもよい。逆に、情報提供制御装置２１ａは、認証対象者が認証されなかった場合にのみその認証対象者に通知を行うと決定してもよい。この他、情報提供制御装置２１ａは、認証対象者の属性、役職、認証を受けた履歴、および／または入場エリアの通過時刻等の情報に基づく基準のもとで、認証対象者に通知を行うか否かを判定してもよい。
【０１３０】
ステップＳ１６では、通知内容決定部２１１が、認証結果情報に基づいて通知の内容を決定する。この処理はステップＳ１７の処理の後に行われてもよく、通知内容決定部２１１は通知対象者の位置に応じて通知の内容を決定してもよい。
【０１３１】
ステップＳ１７では、状況特定部２１４が、認証対象者の実空間内の位置を特定する。そして、ステップＳ１８において、提供装置制御部２１３が、状況特定部２１４が特定した位置において通知が認識可能であるように、提供装置７による通知の提供を制御する。
【０１３２】
［制御の処理の第１の例］
ステップＳ１８の処理を「提供制御処理」と表記することとする。提供制御処理の具体的な流れの第１の例を、図１３のフローチャートを参照しながら説明する。
【０１３３】
まず、情報提供制御装置２１ａは、提供装置７の位置を取得する（ステップＳ１８１）。情報提供制御装置２１ａが位置を既に知っている場合は、このステップＳ１８１の処理は省略されてもよい。
【０１３４】
次に、発信先決定部２１２が、提供装置７から認証対象者の位置への方向を特定する（ステップＳ１８２）。
【０１３５】
次に、提供装置制御部２１３が、提供装置７の向きが特定した方向になるよう、提供装置７に指示する（ステップＳ１８３）。そして、提供装置制御部２１３は、提供装置７に通知を出力させる（ステップＳ１８４）。
【０１３６】
ステップＳ１８４の処理の後、情報提供制御装置２１ａは、提供制御処理を継続してもよいし、別の認証対象者に対して通知を行うことが決定されるまで提供制御処理を停止してもよい。提供装置７は、通知の出力を、一定時間後に終了してもよい。提供装置制御部２１３が、ステップＳ１８４の処理により指示を送ってから一定時間後に、出力を終了する指示を提供装置７に送ってもよい。
【０１３７】
提供制御処理を継続する場合（ステップＳ１８５においてＹＥＳ）、情報提供制御装置２１ａは、認証対象者の実空間内の位置を特定し（ステップＳ１８６）、例えばステップＳ１８２からの処理を再び行う。この時、通知内容決定部２１１は通知の内容を決定し直し（すなわち、通知の内容を別の内容に更新し）てもよい。
【０１３８】
［制御の処理の第２の例］
提供制御処理の具体的な流れの第２の例を、図１４のフローチャートを参照しながら説明する。第２の例は、複数の提供装置７のうち１つが発信先として特定される実施形態における例である。
【０１３９】
情報提供制御装置２１ａは、まず、各提供装置の位置を取得する（ステップＳ１８７）。情報提供制御装置２１ａが位置を既に知っている場合は、このステップＳ１８７の処理は省略されてもよい。
【０１４０】
次に、発信先決定部２１２が、認証対象者の位置と各提供装置の位置とに基づき、認証対象者の位置において出力が認識できる提供装置７を、発信先として決定する（ステップＳ１８８）。発信先決定部２１２は、例えば、認証対象者の位置に最も近い位置にある提供装置７を発信先として決定してもよい。
【０１４１】
そして、提供装置制御部２１３が、発信先決定部２１２により決定された発信先に、通知を指示する（ステップＳ１８９）。
【０１４２】
情報提供制御装置２１ａは、その後、提供制御処理を継続すると判定する限り（ステップＳ１９０においてＹＥＳ）、提供制御処理を継続してよい（ステップＳ１９１）。情報提供制御装置２１ａは、提供制御処理を継続しないと判定したら（ステップＳ１９０においてＮＯ）、提供制御処理を終了してよい。次の認証対象者に対し提供制御処理を実行することが決まった場合、情報提供制御装置２１ａは再びステップＳ１８７からの処理を実行し得る。
【０１４３】
［第２の動作例］
第２の動作例を、図１５のフローチャートを参照しながら説明する。第２の動作例は、提供装置制御部２１３が認証対象者の個人情報に応じた制御を行う実施形態における動作例である。この実施形態では、情報提供制御装置２１は、認証対象者の識別情報と認証対象者が所有しているべき携帯電話の機器情報とが互いに紐付けられた、所有物情報を保持する。
【０１４４】
ステップＳ２１からステップＳ２３までの処理は、第１の動作例のステップＳ１１からステップＳ１３までの処理と同じでよい。
【０１４５】
ステップＳ２４において、認証実行部１１２は、ステップＳ２３で抽出された特徴を登録特徴と照合する。以降の処理は照合の結果によって異なる。
【０１４６】
抽出された特徴に合致する登録特徴が登録情報データベース１１９にある場合（ステップＳ２５においてＹＥＳ）、認証対象者は認証されたといえる。情報提供制御装置２１は、この認証された認証対象者を通知対象者とみなして、ステップＳ２６からステップＳ２８の処理を行う。
【０１４７】
ステップＳ２６では、通知内容決定部２１１が、通知の内容を決定する。
【０１４８】
ステップＳ２７では、発信先決定部２１２が、所有物情報から、抽出された特徴に合致すると判定された登録特徴に紐付く機器情報を抽出する。この機器情報が示す通知機器が、発信先に相当する。機器情報は、認証された認証対象者の個人情報の一つである。
【０１４９】
ステップＳ２８では、提供装置制御部２１３が、ステップＳ２７の処理により抽出された機器情報に基づいて、認証の結果に関する情報を発信する。例えば、機器情報がメールアドレスであるならば、提供装置制御部２１３は、そのメールアドレスを宛先として設定した、認証の結果を記載したメールを送信し得る。
【０１５０】
［第３の動作例］
第３の動作例を、図１６のフローチャートを参照しながら説明する。第３の動作例は、提供装置制御部２１３が通知対象者の所持するＩＣカードから読み取られる個人情報に応じた制御を行う実施形態における動作例である。この実施形態では、各通行者は、その通行者の識別情報が記録されたＩＣカードを携帯するとする。情報処理システム１００は、ＩＣカードが記憶する情報を読み取る読み取り装置を含む。情報提供制御装置２１は、認証対象者の識別情報と認証対象者が所有しているべき携帯電話の機器情報とが互いに紐付けられた、所有物情報を保持する。
【０１５１】
この動作例において、撮影装置４による撮影は継続的に行われているとする。少なくとも１つの撮影装置４は、読み取り装置を含む領域を撮影する。
【０１５２】
まず、情報処理システム１００は、通行者が所有するＩＣカードから情報を読み取る（ステップＳ３１）。
【０１５３】
次に、情報提供制御システム１は、識別情報が読み取られたＩＣカードを携帯する人物を撮影画像から見つける（ステップＳ３２）。ＩＣカードが記憶する識別情報が読み取られる時の通行者の位置が定まっている実施形態であれば、識別情報が読み取られた時に、撮影画像内のその位置に相当する位置に存在する人物が、識別情報が読み取られたＩＣカードを携帯する人物であるとわかる。識別情報が読み取られる時の通行者の位置が定まっていない場合でも、情報処理システム１００が、識別情報が読み取られる時の通行者の（実空間内の）位置を特定できる構成であれば、実空間内の位置と撮影画像内の位置とを対応付けることにより、識別情報が読み取られたＩＣカードを携帯する人物を見つけることが可能である。
【０１５４】
識別情報が読み取られたＩＣカードを携帯する人物が見つかったら、認証実行部１１２が、その見つかった人物を認証対象者として認証を行う（ステップＳ３３）。すなわち、認証実行部１１２は、その人物が写る撮影画像から特徴を抽出し、抽出した特徴を登録情報データベース１１９に登録されている登録特徴と照合する。そして、認証実行部１１２は、認証結果情報を生成する。
【０１５５】
情報提供制御装置２１は、認証結果情報に基づき、認証対象者に通知を行うかを決定する（ステップＳ３４）。通知を行うと決定された場合（ステップＳ３４においてＹＥＳ）には、情報提供制御装置２１はステップＳ３５からステップＳ３７の処理を行う。通知を行わないと決定された場合（ステップＳ３４においてＮＯ）は、情報提供制御装置２１は特段の処理を行わなくてもよい。
【０１５６】
ステップＳ３５では、通知内容決定部２１１が、通知の内容を決定する。
【０１５７】
ステップＳ３６では、発信先決定部２１２が、所有物情報から、ステップＳ３１で読み取られた識別情報に紐付く機器情報を抽出する。この機器情報が示す通知機器が、発信先に相当する。
【０１５８】
ステップＳ３７では、提供装置制御部２１３が、ステップＳ３６の処理により抽出された機器情報に基づいて、認証の結果に関する情報を発信する。
【０１５９】
［補足］
以上に示した処理の順序は一例であり、本発明の思想を逸脱しない限りであれば、各ステップの処理の順序は入れ替えられたり、同時並行で実行されたりしてもよい。
【０１６０】
［情報提供制御装置の構成］
以上で説明された実施形態において、情報提供制御装置の機能構成は、図１８のようにも表され得る。図１８に示された情報提供制御装置２０について説明する。
【０１６１】
情報提供制御装置２０は、特定部２０１と、取得部２０２と、決定部２０３と、制御部２０４と、を備える。
【０１６２】
特定部２０１は、認証の対象である認証対象者の（実空間における）位置を特定する。
【０１６３】
取得部２０２は、認証対象者に対する認証を行う認証部から認証の結果を取得する。認証部は情報提供制御装置２０と通信可能な装置であってもよいし、情報提供制御装置２０内に実装されていてもよい。
【０１６４】
決定部２０３は、特定部２０１によって特定された位置に基づいて、出力装置が通知を出力する範囲を決定する。通知は、認証部による認証の結果に関する通知である。出力装置は、通知を出力する機能を有する装置である。
【０１６５】
制御部２０４は、出力装置を、その出力装置が決定部２０３により決定された範囲に通知を出力するよう、制御する。
【０１６６】
［情報提供制御装置の動作］
情報提供制御装置２０による処理の流れの例を、図１８のフローチャートを参照しながら説明する。まず、特定部２０１が、認証の対象である認証対象者の位置を特定する（ステップＳ２０１）。また、取得部２０２が、認証対象者に対する認証を行う認証部から認証の結果を取得する（ステップＳ２０２）。そして、決定部２０３は、ステップＳ２０１で特定された、認証対象者の位置に基づいて、出力装置が認証の結果に関する通知を出力する範囲を決定する（ステップＳ２０３）。そして、制御部２０４が、ステップＳ２０３で決定された範囲に出力装置が通知を出力するよう、出力装置を制御する（ステップＳ２０４）。
【０１６７】
上記のステップの順番は一例であり、支障が出ない限りにおいて変更されてもよい。例えば、ステップＳ２０１とステップＳ２０２の順序は逆でもよい。
【０１６８】
情報提供制御装置２０が、認証対象者に対して認証と認証の結果の通知とを行うための情報提供システムに組み込まれることにより、その情報提供システムは、認証を受けた者への認証結果に関する情報の提供をより確実にかつスムーズに行うことができる。
【０１６９】
＜実施形態の各部を実現するハードウェアの構成＞
以上で説明された本発明の各実施形態において、各装置の各構成要素を示すブロックは、機能単位で示されている。しかし、構成要素を示すブロックは、各構成要素が別個のモジュールにより構成されることを必ずしも意味していない。
【０１７０】
各構成要素の処理は、例えば、コンピュータシステムが、コンピュータ読み取り可能な記憶媒体により記憶された、その処理をコンピュータシステムに実行させるプログラムを、読み出し、実行することによって、実現されてもよい。「コンピュータ読み取り可能な記憶媒体」は、例えば、光ディスク、磁気ディスク、光磁気ディスク、および不揮発性半導体メモリ等の可搬媒体、ならびに、コンピュータシステムに内蔵されるＲＯＭ（Ｒｅａｄ  Ｏｎｌｙ  Ｍｅｍｏｒｙ）およびハードディスク等の記憶装置である。「コンピュータ読み取り可能な記憶媒体」は、コンピュータシステム内部の揮発性メモリのようにプログラムを一時的に保持可能なもの、および、ネットワークや電話回線等の通信回線のように、プログラムを伝送するものも含む。また、上記プログラムは、前述した機能の一部を実現するためのものであってもよく、更に前述した機能をコンピュータシステムにすでに記憶されているプログラムとの組み合わせで実現できるものであってもよい。
【０１７１】
「コンピュータシステム」とは、一例として、図１９に示されるようなコンピュータ９００を含むシステムである。コンピュータ９００は、以下のような構成を含む。
・１つまたは複数のＣＰＵ（Ｃｅｎｔｒａｌ  Ｐｒｏｃｅｓｓｉｎｇ  Ｕｎｉｔ）９０１
・ＲＯＭ９０２
・ＲＡＭ（Ｒａｎｄｏｍ  Ａｃｃｅｓｓ  Ｍｅｍｏｒｙ）９０３
・ＲＡＭ９０３へロードされるプログラム９０４
・プログラム９０４を格納する記憶装置９０５
・記憶媒体９０６の読み書きを行うドライブ装置９０７
・通信ネットワーク９０９と接続する通信インタフェース９０８
・データの入出力を行う入出力インタフェース９１０
・各構成要素を接続するバス９１１
【０１７２】
例えば、各実施形態における各装置の各構成要素は、その構成要素の機能を実現するプログラム９０４をＣＰＵ９０１がＲＡＭ９０３にロードして実行することで実現される。各装置の各構成要素の機能を実現するプログラム９０４は、例えば、予め、記憶装置９０５やＲＯＭ９０２に格納される。そして、必要に応じてＣＰＵ９０１がプログラム９０４を読み出す。記憶装置９０５は、例えば、ハードディスクである。プログラム９０４は、通信ネットワーク９０９を介してＣＰＵ９０１に供給されてもよいし、予め記憶媒体９０６に格納されており、ドライブ装置９０７に読み出され、ＣＰＵ９０１に供給されてもよい。なお、記憶媒体９０６は、例えば、光ディスク、磁気ディスク、光磁気ディスク、および不揮発性半導体メモリ等の、可搬媒体である。
【０１７３】
各装置の実現方法には、様々な変形例がある。例えば、各装置は、構成要素毎にそれぞれ別個のコンピュータ９００とプログラムとの可能な組み合わせにより実現されてもよい。また、各装置が備える複数の構成要素が、一つのコンピュータ９００とプログラムとの可能な組み合わせにより実現されてもよい。
【０１７４】
また、各装置の各構成要素の一部または全部は、その他の汎用または専用の回路、コンピュータ等やこれらの組み合わせによって実現されてもよい。これらは、単一のチップによって構成されてもよいし、バスを介して接続される複数のチップによって構成されてもよい。
【０１７５】
各装置の各構成要素の一部または全部が複数のコンピュータや回路等により実現される場合には、複数のコンピュータや回路等は、集中配置されてもよいし、分散配置されてもよい。例えば、コンピュータや回路等は、クライアントアンドサーバシステム、クラウドコンピューティングシステム等、各々が通信ネットワークを介して接続される形態として実現されてもよい。
【０１７６】
上記実施形態の一部または全部は以下の付記のようにも記載され得るが、以下には限られない。
【０１７７】
＜＜付記＞＞
［付記１］
認証の対象である認証対象者を撮影した画像を用いて、前記認証対象者に対する認証を行う認証手段と、
前記認証対象者の情報または前記認証対象者の状況に応じて、前記認証対象者に対して前記認証の結果に関する通知を行うための、前記認証の結果に関する情報の発信先を決定する決定手段と、
前記決定した発信先に前記情報を発信する発信手段と、
を含む情報提供システム。
［付記２］
前記認証対象者の状況として、当該認証対象者が写る画像から当該認証対象者の実空間における位置を特定する状況特定手段をさらに含み、
前記決定手段は、前記認証対象者の実空間における位置において前記通知が認識されるように、前記発信先を決定する、
付記１に記載の情報提供システム。
［付記３］
前記決定手段は、前記認証対象者の実空間における位置に基づく領域を前記発信先として決定し、
前記発信手段は、指向性を有する出力装置を用いて、前記領域に向かって、前記情報として前記通知を発信する、
付記２に記載の情報提供システム。
［付記４］
前記出力装置はディスプレイであり、
前記発信手段は、前記出力装置の位置および向きの少なくともいずれかを制御した上で当該出力装置に映像を出力させることによって前記領域に向かって前記通知を発信する、
付記３に記載の情報提供システム。
［付記５］
前記出力装置は指向性スピーカーであり、
前記発信手段は、前記出力装置の位置および向きの少なくともいずれかを制御した上で当該出力装置に音声を出力させることによって前記領域に向かって前記通知を発信する、
付記３に記載の情報提供システム。
［付記６］
１人の前記認証対象者につき、
前記状況特定手段は、当該認証対象者の位置を繰り返し特定し、
前記決定手段は、前記発信先を繰り返し決定し、
前記発信手段は、前記発信先に基づいて前記出力装置の位置および向きの少なくともいずれかを繰り返し制御することにより、当該認証対象者の動きに応じて前記出力装置による出力の方向を変化させる、
付記４または５に記載の情報提供システム。
［付記７］
前記決定手段は、複数の出力装置のうちから、前記認証対象者の実空間における位置に基づいて１つの出力装置を決定し、
前記発信手段は、前記決定された出力装置に対し、前記通知を出力する指示を含む前記情報を発信する、
付記２に記載の情報提供システム。
［付記８］
前記認証対象者の個人情報と当該認証対象者が所有する機器の機器情報とを紐付ける所有物情報を記憶する記憶手段をさらに含み、
前記認証手段は、前記認証によって前記認証対象者の個人情報を特定し、
前記決定手段は、前記所有物情報から、前記特定された個人情報に紐付けられた前記機器情報を取得し、前記機器情報が示す機器を前記発信先として決定し、
前記発信手段は、前記発信先に対する通知の指示を、前記取得された機器情報に基づいて行う、
付記１に記載の情報提供システム。
［付記９］
前記認証対象者の識別情報と当該認証対象者が所有する機器の機器情報とを紐付ける所有物情報を記憶する記憶手段をさらに含み、
前記情報提供システムは、ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取り、
前記認証手段は、前記識別情報が読み取られた前記認証対象者を前記画像から特定し、特定した前記認証対象者に対して前記認証を行い、
前記決定手段は、前記認証対象者の前記識別情報に紐付けられた前記機器情報を取得し、前記機器情報が示す機器を前記発信先として決定し、
前記発信手段は、前記発信先に対する通知の指示を、前記取得された機器情報に基づいて行う、
付記１に記載の情報提供システム。
［付記１０］
通知を行う機能を有する通知機器とともに前記認証対象者に配布される複数の物品について、前記物品が備える特徴と、当該物品とともに配布される前記通知機器の機器情報と、を紐付ける特徴情報を記憶する記憶手段をさらに含み、
前記決定手段は、前記物品を持っている前記認証対象者の画像に基づき、前記認証対象者が持っている物品に紐付けられた前記機器情報を取得し、前記機器情報が示す前記通知機器を前記発信先として決定し、
前記発信手段は、前記発信先に対する通知の指示を、前記取得された機器情報に基づいて行う、
付記１に記載の情報提供システム。
［付記１１］
認証の対象である認証対象者を撮影した画像を用いて、前記認証対象者に対する認証を行い、
前記認証対象者の情報または前記認証対象者の状況に応じて、前記認証対象者に対して前記認証の結果に関する通知を行うための、前記認証の結果に関する情報の発信先を決定し、
前記決定した発信先に前記情報を発信する、
情報提供方法。
［付記１２］
前記認証対象者の状況として、当該認証対象者が写る画像から当該認証対象者の実空間における位置を特定し、
前記認証対象者の実空間における位置において前記通知が認識されるように、前記発信先を決定する、
付記１１に記載の情報提供方法。
［付記１３］
前記認証対象者の実空間における位置に基づく領域を前記発信先として決定し、
指向性を有する出力装置を用いて、前記領域に向かって、前記情報として前記通知を発信する、
付記１２に記載の情報提供方法。
［付記１４］
前記出力装置はディスプレイであり、
前記出力装置の位置および向きの少なくともいずれかを制御した上で当該出力装置に映像を出力させることによって前記領域に向かって前記通知を発信する、
付記１３に記載の情報提供方法。
［付記１５］
前記出力装置は指向性スピーカーであり、
前記出力装置の位置および向きの少なくともいずれかを制御した上で当該出力装置に音声を出力させることによって前記領域に向かって前記通知を発信する、
付記１３に記載の情報提供方法。
［付記１６］
１人の前記認証対象者につき、
当該認証対象者の位置を繰り返し特定し、前記発信先を繰り返し決定し、前記発信先に基づいて前記出力装置の位置および向きの少なくともいずれかを繰り返し制御することにより、当該認証対象者の動きに応じて前記出力装置による出力の方向を変化させる、
付記１４または１５に記載の情報提供方法。
［付記１７］
複数の出力装置のうちから、前記認証対象者の実空間における位置に基づいて１つの出力装置を決定し、
前記決定された出力装置に対し、前記通知を出力する指示を含む前記情報を発信する、
付記１２に記載の情報提供方法。
［付記１８］
前記認証対象者の個人情報と当該認証対象者が所有する機器の機器情報とを紐付ける所有物情報を記憶し、
前記認証によって前記認証対象者の個人情報を特定し、
前記所有物情報から、前記特定された個人情報に紐付けられた前記機器情報を取得し、取得した前記機器情報が示す機器を前記発信先として決定し、
前記発信先に対する通知の指示を、前記取得された機器情報に基づいて行う、
付記１１に記載の情報提供方法。
［付記１９］
前記認証対象者の識別情報と当該認証対象者が所有する機器の機器情報とを紐付ける所有物情報を記憶し、
ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取り、
前記識別情報が読み取られた前記認証対象者を前記画像から特定し、特定した前記認証対象者に対して前記認証を行い、
前記認証対象者の前記識別情報に紐付けられた前記機器情報を取得し、前記機器情報が示す機器を前記発信先として決定し、
前記発信先に対する通知の指示を、前記取得された機器情報に基づいて行う、
付記１１に記載の情報提供方法。
［付記２０］
通知を行う機能を有する通知機器とともに前記認証対象者に配布される複数の物品について、前記物品が備える特徴と、当該物品とともに配布される前記通知機器の機器情報と、を紐付ける特徴情報を記憶し、
前記物品を持っている前記認証対象者の画像に基づき、前記認証対象者が持っている物品に紐付けられた前記機器情報を取得し、前記機器情報が示す前記通知機器を前記発信先として決定し、
前記発信先に対する通知の指示を、前記取得された機器情報に基づいて行う、
付記１１に記載の情報提供方法。
［付記２１］
認証の対象である認証対象者を撮影した画像を用いて、前記認証対象者に対する認証を行う認証処理と、
前記認証対象者の情報または前記認証対象者の状況に応じて、前記認証対象者に対して前記認証の結果に関する通知を行うための、前記認証の結果に関する情報の発信先を決定する決定処理と、
前記決定した発信先に前記情報を発信する発信処理と、
をコンピュータに実行させるプログラムを記憶した、コンピュータ読み取り可能な記憶媒体。
［付記２２］
前記プログラムは、前記認証対象者の状況として、当該認証対象者が写る画像から当該認証対象者の実空間における位置を特定する状況特定処理をさらに前記コンピュータに実行させ、
前記決定処理は、前記認証対象者の実空間における位置において前記通知が認識されるように、前記発信先を決定する、
付記２１に記載の記憶媒体。
［付記２３］
前記コンピュータは指向性を有する出力装置を備え、
前記決定処理は、前記認証対象者の実空間における位置に基づく領域を前記発信先として決定し、
前記発信処理は、前記出力装置を用いて、前記領域に向かって、前記情報として前記通知を発信する、
付記２２に記載の記憶媒体。
［付記２４］
前記出力装置はディスプレイであり、
前記発信処理は、前記出力装置の位置および向きの少なくともいずれかを制御した上で当該出力装置に映像を出力させることによって前記領域に向かって前記通知を発信する、
付記２３に記載の記憶媒体。
［付記２５］
前記出力装置は指向性スピーカーであり、
前記発信処理は、前記出力装置の位置および向きの少なくともいずれかを制御した上で当該出力装置に音声を出力させることによって前記領域に向かって前記通知を発信する、
付記２３に記載の記憶媒体。
［付記２６］
前記プログラムは、１人の前記認証対象者につき、前記状況特定処理、前記決定処理、および前記発信処理を繰り返し前記コンピュータに実行させることにより、当該認証対象者の動きに応じて前記出力装置による出力の方向を変化させる、
付記２４または２５に記載の記憶媒体。
［付記２７］
前記決定処理は、複数の出力装置のうちから、前記認証対象者の実空間における位置に基づいて１つの出力装置を決定し、
前記発信処理は、前記決定された出力装置に対し、前記通知を出力する指示を含む前記情報を発信する、
付記２２に記載の記憶媒体。
［付記２８］
前記プログラムは、前記認証対象者の個人情報と当該認証対象者が所有する機器の機器情報とを紐付ける所有物情報を記憶する記憶処理をさらに前記コンピュータに実行させ、
前記認証処理は、前記認証によって前記認証対象者の個人情報を特定し、
前記決定処理は、前記所有物情報から、前記特定された個人情報に紐付けられた前記機器情報を取得し、前記機器情報が示す機器を前記発信先として決定し、
前記発信処理は、前記発信先に対する通知の指示を、前記取得された機器情報に基づいて行う、
付記２１に記載の記憶媒体。
［付記２９］
前記プログラムは、
前記認証対象者の識別情報と当該認証対象者が所有する機器の機器情報とを紐付ける所有物情報を記憶する記憶処理と、
ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取る受け取り処理と、
をさらに前記コンピュータに実行させ、
前記認証処理は、前記識別情報が読み取られた前記認証対象者を前記画像から特定し、特定した前記認証対象者に対して前記認証を行い、
前記決定処理は、前記認証対象者の前記識別情報に紐付けられた前記機器情報を取得し、前記機器情報が示す機器を前記発信先として決定し、
前記発信処理は、前記発信先に対する通知の指示を、前記取得された機器情報に基づいて行う、
付記２１に記載の記憶媒体。
［付記３０］
前記プログラムは、通知を行う機能を有する通知機器とともに前記認証対象者に配布される複数の物品について、前記物品が備える特徴と、当該物品とともに配布される前記通知機器の機器情報と、を紐付ける特徴情報を記憶する記憶処理をさらに前記コンピュータに実行させ、
前記決定処理は、前記物品を持っている前記認証対象者の画像に基づき、前記認証対象者が持っている物品に紐付けられた前記機器情報を取得し、前記機器情報が示す前記通知機器を前記発信先として決定し、
前記発信処理は、前記発信先に対する通知の指示を、前記取得された機器情報に基づいて行う、
付記２１に記載の記憶媒体。
［付記３１］
認証の対象である認証対象者の位置を特定する特定手段と、
前記認証対象者に対する認証を行う認証手段から当該認証の結果を取得する取得手段と、
前記特定された位置に基づいて、前記認証の結果に関する通知を出力する出力装置が前記通知を出力する範囲を決定する決定手段と、
前記出力装置を、当該出力装置が前記決定された範囲に前記通知を出力するよう制御する制御手段と、
を含む情報提供制御装置。
［付記３２］
認証の対象である認証対象者の位置を特定し、
前記認証対象者に対する認証を行う認証手段から当該認証の結果を取得し、
前記特定された位置に基づいて、前記認証の結果に関する通知を出力する出力装置が前記通知を出力する範囲を決定し、
前記出力装置を、当該出力装置が前記決定された範囲に前記通知を出力するよう制御する、
情報提供制御方法。
［付記３３］
認証の対象である認証対象者の位置を特定する特定処理と、
前記認証対象者に対する認証を行う認証手段から当該認証の結果を取得する取得処理と、
前記特定された位置に基づいて、前記認証の結果に関する通知を出力する出力装置が前記通知を出力する範囲を決定する決定処理と、
前記出力装置を、当該出力装置が前記決定された範囲に前記通知を出力するよう制御する制御処理と、
をコンピュータに実行させるプログラムを記憶した、コンピュータ読み取り可能な記憶媒体。
【０１７８】
本願発明は以上に説明した実施形態に限定されるものではない。以上に説明した実施形態の構成や詳細には、本願発明のスコープ内で当業者が理解し得る様々な変更をすることができる。
【符号の説明】
【０１７９】
１    情報提供制御システム
１００、１００ａ〜１００ｃ    情報処理システム
４    撮影装置
７    提供装置
７ａ    ディスプレイ
７ｂ    プロジェクター
７ｃ    スピーカー
９    読み取り装置
１０    情報提供システム
１０１    認証部
１０２    決定部
１０３    発信部
１１    認証装置
１１１    画像取得部
１１２    認証実行部
１１９    登録情報データベース
２１、２１ａ    情報提供制御装置
２１１    通知内容決定部
２１２    発信先決定部
２１３    提供装置制御部
４０    撮影装置
４１    撮像部
４２    表示部
４３    固定部
４４    回動軸
９００    コンピュータ
９０１    ＣＰＵ
９０２    ＲＯＭ
９０３    ＲＡＭ
９０４    プログラム
９０５    記憶装置
９０６    記憶媒体
９０７    ドライブ装置
９０８    通信インタフェース
９０９    通信ネットワーク
９１０    入出力インタフェース
９１１    バス
【図１】
2020105142.tif 000003
【図２】
2020105142.tif 000004
【図３】
2020105142.tif 000005
【図４】
2020105142.tif 000006
【図５】
2020105142.tif 000007
【図６】
2020105142.tif 000008
【図７】
2020105142.tif 000009
【図８】
2020105142.tif 000010
【図９】
2020105142.tif 000011
【図１０】
2020105142.tif 000012
【図１１】
2020105142.tif 000013
【図１２】
2020105142.tif 000014
【図１３】
2020105142.tif 000015
【図１４】
2020105142.tif 000016
【図１５】
2020105142.tif 000017
【図１６】
2020105142.tif 000018
【図１７】
2020105142.tif 000019
【図１８】
2020105142.tif 000020
【図１９】
2020105142.tif 000021
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
認証の対象である認証対象者を撮影した画像を用いて、前記認証対象者に対する認証を行う認証手段と、
前記認証対象者の情報または前記認証対象者の状況に応じて、前記認証対象者に対して前記認証の結果に関する通知を行うための、前記認証の結果に関する情報の発信先を決定する決定手段と、
前記決定した発信先に前記情報を発信する発信手段と、
を含む情報提供システム。
【請求項２】
前記認証対象者の状況として、当該認証対象者が写る画像から当該認証対象者の実空間における位置を特定する状況特定手段をさらに含み、
前記決定手段は、前記認証対象者の実空間における位置において前記通知が認識されるように、前記発信先を決定する、
請求項１に記載の情報提供システム。
【請求項３】
前記決定手段は、前記認証対象者の実空間における位置に基づく領域を前記発信先として決定し、
前記発信手段は、指向性を有する出力装置を用いて、前記領域に向かって、前記情報として前記通知を発信する、
請求項２に記載の情報提供システム。
【請求項４】
前記出力装置はディスプレイであり、
前記発信手段は、前記出力装置の位置および向きの少なくともいずれかを制御した上で当該出力装置に映像を出力させることによって前記領域に向かって前記通知を発信する、
請求項３に記載の情報提供システム。
【請求項５】
前記出力装置は指向性スピーカーであり、
前記発信手段は、前記出力装置の位置および向きの少なくともいずれかを制御した上で当該出力装置に音声を出力させることによって前記領域に向かって前記通知を発信する、
請求項３に記載の情報提供システム。
【請求項６】
１人の前記認証対象者につき、
前記状況特定手段は、当該認証対象者の位置を繰り返し特定し、
前記決定手段は、前記発信先を繰り返し決定し、
前記発信手段は、前記発信先に基づいて前記出力装置の位置および向きの少なくともいずれかを繰り返し制御することにより、当該認証対象者の動きに応じて前記出力装置による出力の方向を変化させる、
請求項４または５に記載の情報提供システム。
【請求項７】
前記決定手段は、複数の出力装置のうちから、前記認証対象者の実空間における位置に基づいて１つの出力装置を決定し、
前記発信手段は、前記決定された出力装置に対し、前記通知を出力する指示を含む前記情報を発信する、
請求項２に記載の情報提供システム。
【請求項８】
前記認証対象者の個人情報と当該認証対象者が所有する機器の機器情報とを紐付ける所有物情報を記憶する記憶手段をさらに含み、
前記認証手段は、前記認証によって前記認証対象者の個人情報を特定し、
前記決定手段は、前記所有物情報から、前記特定された個人情報に紐付けられた前記機器情報を取得し、前記機器情報が示す機器を前記発信先として決定し、
前記発信手段は、前記発信先に対する通知の指示を、前記取得された機器情報に基づいて行う、
請求項１に記載の情報提供システム。
【請求項９】
前記認証対象者の識別情報と当該認証対象者が所有する機器の機器情報とを紐付ける所有物情報を記憶する記憶手段をさらに含み、
前記情報提供システムは、ＩＣ（Ｉｎｔｅｇｒａｔｅｄ  Ｃｉｒｃｕｉｔ）カードから情報を読み取る読み取り装置から、当該読み取り装置が読み取った、前記認証対象者が携帯するＩＣカードに記録された当該認証対象者の識別情報を受け取り、
前記認証手段は、前記識別情報が読み取られた前記認証対象者を前記画像から特定し、特定した前記認証対象者に対して前記認証を行い、
前記決定手段は、前記認証対象者の前記識別情報に紐付けられた前記機器情報を取得し、前記機器情報が示す機器を前記発信先として決定し、
前記発信手段は、前記発信先に対する通知の指示を、前記取得された機器情報に基づいて行う、
請求項１に記載の情報提供システム。
【請求項１０】
通知を行う機能を有する通知機器とともに前記認証対象者に配布される複数の物品について、前記物品が備える特徴と、当該物品とともに配布される前記通知機器の機器情報と、を紐付ける特徴情報を記憶する記憶手段をさらに含み、
前記決定手段は、前記物品を持っている前記認証対象者の画像に基づき、前記認証対象者が持っている物品に紐付けられた前記機器情報を取得し、前記機器情報が示す前記通知機器を前記発信先として決定し、
前記発信手段は、前記発信先に対する通知の指示を、前記取得された機器情報に基づいて行う、
請求項１に記載の情報提供システム。
【請求項１１】
認証の対象である認証対象者を撮影した画像を用いて、前記認証対象者に対する認証を行い、
前記認証対象者の情報または前記認証対象者の状況に応じて、前記認証対象者に対して前記認証の結果に関する通知を行うための、前記認証の結果に関する情報の発信先を決定し、
前記決定した発信先に前記情報を発信する、
情報提供方法。
【請求項１２】
認証の対象である認証対象者を撮影した画像を用いて、前記認証対象者に対する認証を行う認証処理と、
前記認証対象者の情報または前記認証対象者の状況に応じて、前記認証対象者に対して前記認証の結果に関する通知を行うための、前記認証の結果に関する情報の発信先を決定する決定処理と、
前記決定した発信先に前記情報を発信する発信処理と、
をコンピュータに実行させるプログラム。
【請求項１３】
認証の対象である認証対象者の位置を特定する特定手段と、
前記認証対象者に対する認証を行う認証手段から当該認証の結果を取得する取得手段と、
前記特定された位置に基づいて、前記認証の結果に関する通知を出力する出力装置が前記通知を出力する範囲を決定する決定手段と、
前記出力装置を、当該出力装置が前記決定された範囲に前記通知を出力するよう制御する制御手段と、
を含む情報提供制御装置。
【請求項１４】
認証の対象である認証対象者の位置を特定し、
前記認証対象者に対する認証を行う認証手段から当該認証の結果を取得し、
前記特定された位置に基づいて、前記認証の結果に関する通知を出力する出力装置が前記通知を出力する範囲を決定し、
前記出力装置を、当該出力装置が前記決定された範囲に前記通知を出力するよう制御する、
情報提供制御方法。
【請求項１５】
認証の対象である認証対象者の位置を特定する特定処理と、
前記認証対象者に対する認証を行う認証手段から当該認証の結果を取得する取得処理と、
前記特定された位置に基づいて、前記認証の結果に関する通知を出力する出力装置が前記通知を出力する範囲を決定する決定処理と、
前記出力装置を、当該出力装置が前記決定された範囲に前記通知を出力するよう制御する制御処理と、
をコンピュータに実行させるプログラム。
【手続補正３】
【補正対象書類名】明細書
【補正対象項目名】００５１
【補正方法】変更
【補正の内容】
【００５１】
通知は、認証の結果に関する情報の一例である。通知の内容は、認証装置１１による通知対象者に対する認証の結果に関する内容である。例えば、通知は、通知対象者が認証されたか否かを示す情報でもよい。通知は、通知対象者に対する案内や指示を示す情報でもよい。例えば、通知内容決定部２１１は、認証された通知対象者に対しては、そのまま通行することを促す内容を通知の内容として決定し、認証されなかった対象者に対しては、所定のエリアに移動するよう指示する内容を通知の内容として決定してもよい。このように、通知内容決定部２１１は、通知対象者が認証されたか否かに応じて異なる指示または案内を含む内容を通知の内容として決定し得る。なお、認証されなかった通知対象者への通知については、通知内容決定部２１１は、その通知対象者に対して再認証を行うか否かの判定を行った上で、その判定に基づいて通知の内容を決定してもよい。
【手続補正４】
【補正対象書類名】明細書
【補正対象項目名】００５４
【補正方法】変更
【補正の内容】
【００５４】
以下、提供装置制御部２１３が提供装置７に送る、提供装置７に対する制御のための情報を、「制御情報」とも表記する。制御情報は、認証の結果に関する情報の一例である。
【手続補正５】
【補正対象書類名】明細書
【補正対象項目名】００５８
【補正方法】変更
【補正の内容】
【００５８】
情報提供制御装置２１は、通知対象者の状況を特定した上で、その状況に基づいて提供装置７に対する制御の内容を決定し得る。以下、通知対象者の状況を特定する機能単位を状況特定部２１４と記載する。情報提供制御装置２１が状況特定部２１４を備える場合の情報処理システム１００の構成は、情報処理システム１００ａとして、図５に示されている。以下、状況特定部２１４を備える情報提供制御装置には“２１ａ”の符号を付与する。情報提供制御装置２１ａを含む情報提供制御システムには“１ａ”の符号を付与し、情報提供制御システム１ａを含む情報提供システムには“１０ａ”の符号を付与する。
【手続補正６】
【補正対象書類名】明細書
【補正対象項目名】００７５
【補正方法】変更
【補正の内容】
【００７５】
［第３の具体例］
また、例えば、提供装置７は、通知対象者を照射するスポットライトであり得る。発信先決定部２１２は、経路の中で通知対象者がいる地点を発信先として決定し得る。そして、提供装置制御部２１３は、発信先にスポットライトの光が当たるように、スポットライトの位置および／または向きを制御すればよい。
【手続補正７】
【補正対象書類名】明細書
【補正対象項目名】００８３
【補正方法】変更
【補正の内容】
【００８３】
なお、レーザーポインタが採用される場合、レーザーの光の色は光路上では視認できず、照射先を視認できる人のみに光の特徴を伝達することができる。したがって、通知対象者のみが視認できる場所を照射先として設定すれば、認証結果が通知対象者以外の人に知られないようにすることが可能である。通知対象者のみが視認できる場所は、例えば通知対象者の腹部等である。
【国際調査報告】
2020105142.tif 000022
2020105142.tif 000023
2020105142.tif 000024
2020105142.tif 000025